(57)【要約】【課題】  スイッチング装置の数が増えても電力変換装置が大型化することを抑制できかつインダクタンスが大きくなることを抑制できるバスバーを提供する。【解決手段】  実施形態によれば、バスバーは、帯状の第１の基部と、前記第１の基部の長手方向に沿う一方の縁から延びて前記第１の基部の一方の主面側に屈曲する第１の端子と、を具備する第１のバスバー層と、前記第１の基部の前記一方の主面上に設けられる第１の基部用インシュレータ層と、前記第１の基部に沿って延びる帯状に形成され、一方の主面と前記第１の基部の前記一方の主面との間に前記第１の基部用インシュレータ層を配置する第２の基部と、前記第２の基部の長手方向に沿う縁のうち前記第１の端子側の一方の縁から延びて前記第２の基部の他方の主面側に屈曲し、前記第１の端子に対して隣り合う位置に配置される第２の端子と、を具備する第２のバスバー層と、を備える。【選択図】図４
2016213930.tif 000002
【特許請求の範囲】
【請求項１】
帯状の第１の基部と、前記第１の基部の長手方向に沿う一方の縁から延びて前記第１の基部の一方の主面側に屈曲する第１の端子と、を具備する第１のバスバー層と、
前記第１の基部の前記一方の主面上に設けられる第１の基部用インシュレータ層と、
前記第１の基部に沿って延びる帯状に形成され、一方の主面と前記第１の基部の前記一方の主面との間に前記第１の基部用インシュレータ層を配置する第２の基部と、前記第２の基部の長手方向に沿う縁のうち前記第１の端子側の一方の縁から延びて前記第２の基部の他方の主面側に屈曲し、前記第１の端子に対して隣り合う位置に配置される第２の端子と、を具備する第２のバスバー層と、
を具備することを特徴とするバスバー。
【請求項２】
前記第１の基部の長手方向に沿う他方の縁の一端部から延びて前記第１の基部の他方の主面側に屈曲する第１の屈曲部と、
前記第１の屈曲部の先端に設けられて前記第１の基部に沿って延びる帯状に形成され、一方の主面が前記第１の基部の前記他方の主面に対して離間するとともに対向する姿勢で配置される第３の基部と、前記第３の基部の長手方向に沿う縁のうち前記第１の端子側の縁から延びて前記第３の基部の他方の主面側に屈曲する第３の端子と、を具備する第３のバスバー層と、
前記第３の基部の前記他方の主面上に設けられる第３の基部用インシュレータ層と、
前記第２の基部の長手方向に沿う他方の縁の一端部から延びて前記第３の基部側に屈曲する第２の屈曲部と、
前記第２の屈曲部の先端に設けられて前記第３の基部に沿って延びる帯状に形成され、一方の主面と前記第３の基部の前記他方の主面との間に前記第３の基部用インシュレータ層を配置する第４の基部と、前記第４の基部の長手方向に沿う縁のうち前記第３の端子側の縁から延びて前記第４の基部の他方の主面側に屈曲し、前記第３の端子に対して隣り合う位置に配置される第４の端子と、を具備する第４のバスバー層と、
を具備することを特徴とする請求項１に記載のバスバー。
【請求項３】
前記第１の基部に沿って延びる帯状に形成され、一方の主面が前記第１の基部の他方の主面に固定される帯状の第３の基部と、前記第３の基部の長手方向に沿う縁のうち前記第１の端子側の一方の縁から延びて前記第３の基部の他方の主面側に屈曲する第３の端子と、を具備する第３のバスバー層と、
前記第３の基部の前記他方の主面上に設けられる第３の基部用インシュレータ層と、
前記第２の基部の長手方向に沿う他方の縁の一端部から延びて前記第３のバスバー層側に屈曲する屈曲部と、
前記屈曲部の先端に設けられて前記第３の基部に沿って延びる帯状に形成され、一方の主面と前記第３の基部の前記他方の主面との間に前記第３の基部用インシュレータ層を配置する第４の基部と、前記第４の基部の長手方向に沿う縁のうち前記第３の端子側の縁から延びて前記第４の基部の他方の主面側に屈曲し、前記第３の端子に対して隣り合う位置に配置される第４の端子と、を具備する第４のバスバー層と、
を具備することを特徴とする請求項１に記載のバスバー。
【請求項４】
前記第１の基部の前記他方の主面に一端部が固定され前記第１の基部の他方の主面から離れる方向に屈曲する基部用屈曲部と、前記基部用屈曲部の先端に設けられて前記第１の基部に沿って延びる帯状に形成され、一方の主面が前記第１の基部の前記他方の主面に対して対向するとともに離間する姿勢で配置される帯状部と、を具備する第３の基部と、前記帯状部の長手方向に沿う縁のうち前記第１の端子側の縁から延びて前記帯状部の他方の主面側に屈曲する第３の端子と、を具備する第３のバスバー層と、
前記帯状部の前記他方の主面上に設けられる第３の基部用インシュレータ層と、
前記第２の基部の長手方向に沿う他方の縁の一端部から延びて前記第３のバスバー層側に屈曲する屈曲部と、前記屈曲部の先端に設けられて前記帯状部に沿って延びる帯状に形成され、一方の主面と前記帯状部の前記他方の主面との間に前記第３の基部用インシュレータ層を配置する第４の基部と、前記第４の基部の長手方向に沿う縁のうち前記第３の端子側の縁から延びて前記第４の基部の他方の主面側に屈曲し、前記第３の端子に対して隣り合う位置に配置される第４の端子と、を具備する第４のバスバー層と、
を具備することを特徴とする請求項１に記載のバスバー。
【請求項５】
帯状の第１のバスバー基部と、前記第１のバスバー基部の長手方向に沿う一方の縁から延びて前記第１のバスバー基部の一方の主面側に屈曲する帯状の第１のバスバー端子と、を具備する第１の接続バスバー層と、
前記第１のバスバー基部の前記一方の主面に設けられる第１のインシュレータ層と、
前記第１のバスバー基部の前記一方の主面に沿って延びる帯状に形成され、一方の主面と前記第１のバスバー基部の前記一方の主面との間に前記第１のインシュレータ層を配置する第２のバスバー基部と、前記第２のバスバー基部の長手方向に沿う縁のうち前記第１のバスバー端子部側の縁から延びて前記第２のバスバー基部の他方の主面側に屈曲し、前記第１のバスバー端子に対して隣り合う位置に配置される第２のバスバー端子と、を具備する第２の接続バスバー層と、
帯状に形成され、一方の主面が前記第２のバスバー基部の前記他方の主面に対して離間するとともに対向する姿勢で配置される第３のバスバー基部と、前記第３のバスバー基部の長手方向に沿う縁のうち前記第２のバスバー端子側の縁から延びて前記第３のバスバー基部の前記一方の主面側に屈曲する第３のバスバー端子と、を具備する第３の接続バスバー層と、
前記第３のバスバー基部の長手方向に沿う他方の縁から延びて前記第３のバスバー基部の他方の主面側に屈曲する第１のバスバー屈曲部と、
前記第１のバスバー屈曲部の先端に設けられて前記第３のバスバー基部に沿って延びる帯状に形成され、一方の主面が前記第３のバスバー基部の前記他方の主面に対して離間するとともに対向する姿勢で配置される第４のバスバー基部と、前記第４のバスバー基部の長手方向に沿う縁のうち前記第３のバスバー端子側の縁から延びて前記第４のバスバー基部の他方の主面側に屈曲する第４のバスバー端子と、を具備する第４の接続バスバー層と、
前記第３のバスバー基部の前記他方の主面上に設けられる第２のインシュレータ層と、
前記第４のバスバー基部の前記一方の主面上に設けられる第３のインシュレータ層と、
前記第３及び第４のバスバー基部の間に配置されて前記第３のバスバー基部に沿って延びる帯状に形成され、一方の主面と前記第３のバスバー基部の前記他方の主面との間に前記第２のインシュレータ層を配置し、他方の主面が前記第４のバスバー基部の前記一方の主面に対して離間する第５のバスバー基部と、前記第５のバスバー基部の長手方向に沿う縁のうち前記第３のバスバー端子側の縁から延びて前記第５のバスバー基部の前記一方の主面側に屈曲し、前記第３のバスバー端子に対して隣り合う位置に配置される第５のバスバー端子と、を具備する第５の接続バスバー層と、
前記第５のバスバー基部の長手方向に沿う他方の縁の一端部から延びて前記第４のバスバー基部側に屈曲する第２のバスバー屈曲部と、
前記第２のバスバー屈曲部の先端に設けられて前記第４のバスバー基部に沿って延びる帯状に形成され、一方の主面と前記第４のバスバー基部の前記一方の主面との間に前記第３のインシュレータ層を配置し、他方の主面が前記第５のバスバー基部の前記他方の主面に対して離間する第６のバスバー基部と、前記第６のバスバー基部の長手方向に沿う縁のうち前記第５のバスバー端子側の縁から延びて前記第６のバスバー基部の他方の主面側に屈曲し、前記第４のバスバー端子に対して隣り合う位置に配置される第６のバスバー端子と、を具備する第６の接続バスバー層と、
を具備するバスバー。
【請求項６】
帯状の第１のバスバー基部と、前記第１のバスバー基部の長手方向に沿う一方の縁から延びて前記第１のバスバー基部の一方の主面側に屈曲する帯状の第１のバスバー端子と、を具備する第１の接続バスバー層と、
前記第１のバスバー基部の前記一方の主面に設けられる第１のインシュレータ層と、
前記第１のバスバー基部の前記一方の主面に沿って延びる帯状に形成され、一方の主面と前記第１のバスバー基部の前記一方の主面との間に前記第１のインシュレータ層を配置する第２のバスバー基部と、前記第２のバスバー基部の長手方向に沿う縁のうち前記第１のバスバー端子部側の縁から延びて前記第２のバスバー基部の他方の主面側に屈曲し、前記第１のバスバー端子に対して隣り合う位置に配置される第２のバスバー端子と、を具備する第２の接続バスバー層と、
帯状に形成され、一方の主面が前記第２のバスバー基部の前記他方の主面に対して離間するとともに対向する姿勢で配置される第３のバスバー基部と、前記第３のバスバー基部の長手方向に沿う縁のうち前記第２のバスバー端子側の縁から延びて前記第３のバスバー基部の前記一方の主面側に屈曲する第３のバスバー端子と、を具備する第３の接続バスバー層と、
前記第３のバスバー基部の長手方向に沿う他方の縁から延びて前記第３のバスバー基部の他方の主面側に屈曲するバスバー屈曲部と、
前記バスバー屈曲部の先端に設けられて前記第３のバスバー基部に沿って延びる帯状に形成され、一方の主面が前記第３のバスバー基部の前記他方の主面に対して離間するとともに対向する姿勢で配置される第４のバスバー基部と、前記第４のバスバー基部の長手方向に沿う縁のうち前記第３のバスバー端子側の縁から延びて前記第４のバスバー基部の他方の主面側に屈曲する第４のバスバー端子と、を具備する第４の接続バスバー層と、
前記第３のバスバー基部の前記他方の主面上に設けられる第３のインシュレータ層と、
前記第４のバスバー基部の前記一方の主面上に設けられる第４のインシュレータ層と、
前記第３及び第４のバスバー基部の間に配置されて前記第３のバスバー基部に沿って延びる帯状に形成され、一方の主面と前記第３のバスバー基部の前記他方の主面との間に前記第３のインシュレータ層を配置し、他方の主面が前記第４のバスバー基部の前記一方の主面に対して離間する第５のバスバー基部と、前記第５のバスバー基部の長手方向に沿う縁のうち前記第３のバスバー端子側の縁から延びて前記第５のバスバー基部の前記一方の主面側に屈曲し、前記第３のバスバー端子に対して隣り合う位置に配置される第５のバスバー端子と、を具備する第５の接続バスバー層と、
前記第４のバスバー基部と前記第５のバスバー基部との間に配置されて前記第４のバスバー基部に沿って延びる帯状に形成され、一方の主面と前記第４のバスバー基部の前記一方の主面との間に前記第４のインシュレータ層を配置し、他方の主面が前記第５のバスバー基部の前記他方の主面に固定される第６のバスバー基部と、前記第６のバスバー基部の長手方向に沿う縁のうち前記第４のバスバー端子側の縁から延びて前記第６のバスバー基部の前記一方の主面側に屈曲し、前記第４のバスバー端子に対して隣り合う位置に配置される第６のバスバー端子と、を具備する第６の接続バスバー層と、
を具備するバスバー。
【請求項７】
帯状の第１のバスバー基部と、前記第１のバスバー基部の長手方向に沿う一方の縁から延びて前記第１のバスバー基部の一方の主面側に屈曲する帯状の第１のバスバー端子と、を具備する第１の接続バスバー層と、
前記第１のバスバー基部の前記一方の主面に設けられる第１のインシュレータ層と、
前記第１のバスバー基部の前記一方の主面に沿って延びる帯状に形成され、一方の主面と前記第１のバスバー基部の前記一方の主面との間に前記第１のインシュレータ層を配置する第２のバスバー基部と、前記第２のバスバー基部の長手方向に沿う縁のうち前記第１のバスバー端子部側の縁から延びて前記第２のバスバー基部の他方の主面側に屈曲し、前記第１のバスバー端子に対して隣り合う位置に配置される第２のバスバー端子と、を具備する第２の接続バスバー層と、
帯状に形成され、一方の主面が前記第２のバスバー基部の前記他方の主面に対して離間するとともに対向する姿勢で配置される第３のバスバー基部と、前記第３のバスバー基部の長手方向に沿う縁のうち前記第２のバスバー端子側の縁から延びて前記第３のバスバー基部の前記一方の主面側に屈曲する第３のバスバー端子と、を具備する第３の接続バスバー層と、
前記第３のバスバー基部の長手方向に沿う他方の縁から延びて前記第３のバスバー基部の他方の主面側に屈曲するバスバー屈曲部と、
前記バスバー屈曲部の先端に設けられて前記第３のバスバー基部に沿って延びる帯状に形成され、一方の主面が前記第３のバスバー基部の前記他方の主面に対して離間するとともに対向する姿勢で配置される第４のバスバー基部と、前記第４のバスバー基部の長手方向に沿う縁のうち前記第３のバスバー端子側の縁から延びて前記第４のバスバー基部の他方の主面側に屈曲する第４のバスバー端子と、を具備する第４の接続バスバー層と、
前記第３のバスバー基部の前記他方の主面上に設けられる第２のインシュレータ層と、
前記第４のバスバー基部の前記一方の主面上に設けられる第３のインシュレータ層と、
前記第３及び第４のバスバー基部の間に配置されて前記第３のバスバー基部に沿って延びる帯状に形成され、一方の主面と前記第３のバスバー基部の前記他方の主面との間に前記第２のインシュレータ層を配置し、他方の主面が前記第４のバスバー基部の前記一方の主面に対して離間する第５のバスバー基部と、前記第５のバスバー基部の長手方向に沿う縁のうち前記第３のバスバー端子側の縁から延びて前記第５のバスバー基部の前記一方の主面側に屈曲し、前記第３のバスバー端子に対して隣り合う位置に配置される第５のバスバー端子と、を具備する第５の接続バスバー層と、
前記第５のバスバー基部の前記他方の主面に一端部が固定され前記第４のバスバー基部側に屈曲する基部用屈曲部と、前記基部用屈曲部の先端に設けられて前記第４のバスバー基部に沿って延びる帯状に形成され、一方の主面と前記第４のバスバー基部の前記一方の主面との間に前前記第３のインシュレータ層を配置し、他方の主面が前記第５のバスバー基部の前記他方の主面に対して離間する帯状部と、を具備する第６のバスバー基部と、前記帯状部の長手方向に沿う縁のうち前記第４のバスバー端子側の縁から延びて前記帯状部の前記一方の主面側に屈曲し、前記第４のバスバー端子に対して隣り合う位置に配置される第６のバスバー端子と、を具備する第６の接続バスバー層と、
を具備するバスバー。
【請求項８】
帯状の第１のエミッタ層用基部と、前記第１のエミッタ層用基部の長手方向に沿う一方の縁から延びて前記第１のエミッタ層用基部の一方の主面側に屈曲する帯状の第１のエミッタ層用端子と、を具備する第１のエミッタ用バスバー層と、
前記第１のエミッタ層用基部の前記一方の主面に設けられる第１のインシュレータ層と、
前記第１のエミッタ層用基部の前記一方の主面に沿って延びる帯状に形成され、一方の主面と前記第１のエミッタ層用基部の前記一方の主面との間に前記第１のインシュレータ層を配置する第１のコレクタ層用基部と、前記第１のコレクタ層用基部の長手方向に沿う縁のうち前記第１のエミッタ層用端子側の縁から延びて前記第１のコレクタ層用基部の他方の主面側に屈曲し、前記第１のエミッタ層用端子に対して隣り合う位置に配置される第１のコレクタ層用端子と、を具備する第１のコレクタ用バスバー層と、
帯状に形成され、一方の主面が前記第１のコレクタ層用基部の前記他方の主面に対して離間するとともに対向する姿勢で配置される第２のコレクタ層用基部と、前記第２のコレクタ層用基部の長手方向に沿う縁のうち前記第１のコレクタ層用端子側の縁から延びて前記第２のコレクタ層用基部の前記一方の主面側に屈曲する第２のコレクタ層用端子とを具備する第２のコレクタ用バスバー層と、
前記第２のコレクタ層用基部の長手方向に沿う他方の縁から延びて前記第２のコレクタ層用基部の他方の主面側に屈曲するコレクタバスバー屈曲部と、
前記コレクタバスバー屈曲部の先端に設けられて前記第２のコレクタ層用基部に沿って延びる帯状に形成され、一方の主面が前記第２のコレクタ層用基部の前記他方の主面に対して離間するとともに対向する姿勢で配置される第３のコレクタ層用基部と、前記第３のコレクタ層用基部の長手方向に沿う縁のうち前記第２のコレクタ層用端子側の縁から延びて前記第３のコレクタ層用基部の他方の主面側に屈曲する第３のコレクタ層用端子と、を具備する第３のコレクタ用バスバー層と、
前記第２のコレクタ層用基部の前記他方の主面上に設けられる第２のインシュレータ層と、
前記第３のコレクタ層用基部の前記一方の主面上に設けられる第３のインシュレータ層と、
前記第２及び第３のコレクタ層用基部の間に配置されて前記第２のコレクタ層用基部に沿って延びる帯状に形成され、一方の主面と前記第２のコレクタ層用基部の前記他方の主面との間に前記第２のインシュレータ層を配置し、他方の主面が前記第３のコレクタ層用基部の前記一方の主面に対して離間する第２のエミッタ層用基部と、前記第２のエミッタ層用基部の長手方向に沿う縁のうち前記第２のコレクタ層用端子側の縁から延びて前記第２のエミッタ層用基部の前記一方の主面側に屈曲し、前記第２のコレクタ層用端子に対して隣り合う位置に配置される第２のエミッタ層用端子と、を具備する第２のエミッタ用バスバー層と、
前記第２のエミッタ層用基部の長手方向に沿う他方の縁の一端部から延びて前記第３のコレクタ層用基部側に屈曲するエミッタバスバー屈曲部と、
前記エミッタバスバー屈曲部の先端に設けられて前記第３のコレクタ層用基部に沿って延びる帯状に形成され、一方の主面と前記第３のコレクタ層用基部の前記一方の主面との間に前記第３のインシュレータ層を配置し、他方の主面が前記第２のエミッタ層用基部の前記他方の主面に対して離間する第３のエミッタ層用基部と、前記第３のエミッタ層用基部の長手方向に沿う縁のうち前記第３のコレクタ層用端子側の縁から延びて前記第３のコレクタ層用基部の前記一方の主面側に屈曲し、前記第３のコレクタ層用端子に対して隣り合う位置に配置される第３のエミッタ層用端子と、を具備する第３のエミッタ用バスバー層と、
前記第１のコレクタ層用基部と前記第２のコレクタ層用基部との間に設けられる第１の上下アーム形成バスバー層と、
前記第１の上下アーム形成バスバー層と前記第２のコレクタ層用基部との間に設けられる第２の上下アーム形成バスバー層と、
前記第３のエミッタ層用基部との間に前記第３のコレクタ層用基部を挟む位置に設けられる第３の上下アーム形成バスバー層と、
第１のコレクタ端子と第１のエミッタ端子とを具備し、前記第１のコレクタ端子が前記第１のコレクタ層用端子に接続され、かつ、前記第１のエミッタ端子が前記第１の上下アーム形成バスバー層 に接続される姿勢で前記第１のコレクタ用バスバー層と前記第１の上下アーム形成バスバー層との間に設けられるＵ相上アーム用スイッチング装置と、
第２のコレクタ端子と第２のエミッタ端子とを具備し、前記第２のエミッタ端子が前記第１のエミッタ層用端子に接続されかつ前記第２のコレクタ端子が前記第１の上下アーム形成バスバー層に接続される姿勢で、前記第１のコレクタ用バスバー層と前記第１の上下アーム形成バスバー層との間の前記Ｕ相上アーム用スイッチング装置に対して隣り合う位置に設けられるＵ相下アーム用スイッチング装置と、
第３のコレクタ端子と第３のエミッタ端子とを具備し、前記第３のコレクタ端子が前記第２のコレクタ層用端子に接続されかつ前記第３のエミッタ端子が前記第２の上下アーム形成バスバー層に接続される姿勢で前記第２の上下アーム形成バスバー層と前記第２のコレクタ用バスバー層との間に設けられるＶ相上アーム用スイッチング装置と、
第４のコレクタ端子と第４のエミッタ端子とを具備し、前記第４のコレクタ端子が前記第２の上下アーム形成バスバー層に接続されかつ前記第４のエミッタ端子が前記第２のエミッタ層用端子に接続される姿勢で前記第２の上下アーム形成バスバー層と前記２のコレクタ用バスバーとの間の前記Ｖ相上アーム用スイッチング装置に対して隣り合う位置に設けられるＶ相下アーム用スイッチング装置と、
第５のコレクタ端子と第５のエミッタ端子とを具備し、前記第５のコレクタ端子が前記第３のコレクタ層用端子に接続されかつ前記第５のエミッタ端子が前記第３の上下アーム形成バスバー層に接続される姿勢で前記第３のコレクタ層用基部と前記第３の上下アーム形成バスバー層との間に設けられるＷ相上アーム用スイッチング装置と、
第６のコレクタ端子と第６のエミッタ端子とを具備し、前記第６のコレクタ端子が第３の上下アーム形成バスバー層に接続されかつ前記第６のエミッタ端子が前記３のエミッタ層用端子に接続される姿勢で前記第６のコレクタ端子と前記第３の上下アーム形成バスバー層との間の前記Ｗ相上アーム用スイッチング装置に対して隣り合う位置に配置されるＷ相下アーム用スイッチング装置と、
を具備することを特徴とする電力変換装置。
【発明の詳細な説明】
【技術分野】
【０００１】
この発明の実施形態は、直流電力から交流電力への変換と交流電力から直流電力への変換のうちの少なくとも一方を行う電力変換装置及びこの電力変換装置に用いられるバスバーに関する。
【背景技術】
【０００２】
車輪を駆動する駆動装置として交流電動モータを有する電気自動車と、車輪を駆動する駆動装置として内燃機関と交流電動モータとを併用するハイブリッド車と、が知られている。
【０００３】
ハイブリッド車や電気自動車は、電池から供給される直流電力を電動モータ用に交流電力に変換する電力変換装置を有している。電力変換装置は、電池から供給される直流電力を交流電力に変換する為の複数のスイッチング装置を有している。複数のスイッチング装置を、バスバーによって互いに電気的に接続するとともに電池と電動モータとに電気的に接続することが知られている。
【０００４】
一方、交流電動モータとして三相交流電動モータが用いられる場合では、各相において上下アームを複数並列に設けることが知られている。各相において上下アームを複数並列に設ける場合では、上下アームを構成する直列に接続された一対のスイッチング装置が、並列に接続される。このように、各相において上下アームを複数有する構造となると、スイッチング装置の数が多くなる。
【先行技術文献】
【特許文献】
【０００５】
【特許文献１】特開２０１３−１９２３６７号公報
【発明の概要】
【発明が解決しようとする課題】
【０００６】
スイッチング装置の数が多くなると、電力変換装置が大型化する。また、スイッチング装置の数が多くなると、バスバーにおいて電流が流れる電流経路が長くなり、インダクタンスが大きくなる傾向にある。
【０００７】
本発明が解決しようとする課題は、電力変換装置が大型化することを抑制できかつインダクタンスが大きくなることを抑制できるバスバーを提供することである。
【課題を解決するための手段】
【０００８】
実施形態によれば、バスバーは、帯状の第１の基部と、前記第１の基部の長手方向に沿う一方の縁から延びて前記第１の基部の一方の主面側に屈曲する第１の端子と、を具備する第１のバスバー層と、前記第１の基部の前記一方の主面上に設けられる第１の基部用インシュレータ層と、前記第１の基部に沿って延びる帯状に形成され、一方の主面と前記第１の基部の前記一方の主面との間に前記第１の基部用インシュレータ層を配置する第２の基部と、前記第２の基部の長手方向に沿う縁のうち前記第１の端子側の一方の縁から延びて前記第２の基部の他方の主面側に屈曲し、前記第１の端子に対して隣り合う位置に配置される第２の端子と、を具備する第２のバスバー層と、を備える。
【図面の簡単な説明】
【０００９】
【図１】本実施形態の電力変換装置を示す等価回路図。
【図２】同電力変換装置を示す斜視図。
【図３】同電力変換装置を示す平面図。
【図４】同電力変換装置の冷却器の受熱面の近傍と支持フレームとを示す斜視図。
【図５】同電力変換装置のバスバーがスイッチング装置に接続された状態を示す斜視図。
【図６】同バスバーが同スイッチング装置に接続された状態を示す平面図。
【図７】同バスバーが同スイッチング装置に接続された状態を示す平面図。
【図８】同バスバーのコレクタバスバーとエミッタバスバーとが組み合わさった状態を示す斜視図。
【図９】図８に示す範囲Ｆ９を拡大して示す斜視図。
【図１０】同コレクタバスバーと同エミッタバスバーとが組み合わさった状態を、下方から見た状態を示す斜視図。
【図１１】図９に示すＦ１１−Ｆ１１線断面に沿って示す第１の連結部と第３の連結部とを切断した状態を示す断面図。
【図１２】同電力変換装置の第１のスイッチング装置を示す斜視図。
【図１３】同エミッタバスバーが同コレクタバスバーから分離された状態を示す斜視図。
【図１４】同コレクタバスバーと同エミッタバスバーとが一体に組み合わされた状態を示す平面図。
【図１５】電力変換装置の動作を説明する図。
【図１６】電力変換装置の動作を説明する図。
【図１７】第２の実施形態に係る電力変換装置のコレクタバスバーとエミッタバスバーとが一体に組み合わされた状態を示す斜視図。
【図１８】同コレクタバスバーと同エミッタバスバーとが一体に組み合わされた状態を示す平面図。
【図１９】図１７に示す範囲Ｆ１９を拡大して示す斜視図。
【図２０】第２の実施形態の変形例を示す平面図。
【図２１】図２０中の範囲Ｆ２１を拡大して示す斜視図。
【発明を実施するための形態】
【００１０】
一実施形態に係る電力変換装置１０を、図１〜１６を用いて説明する。図１は、電力変換装置１０を示す等価回路図である。図１に示すように、電力変換装置１０は、直流電力供給源の一例である電池５と、回転電気機械の一例である電動モータ６と、回転電気機械の一例であるジェネレータ７と、に接続されている。
【００１１】
電池５と、電動モータ６と、ジェネレータ７と、電力変換装置１０とは、例えば電気自動車に搭載されている。電動モータ６は、電気自動車の車輪を回転するための駆動源として機能する。ジェネレータ７は、例えば、電気自動車の制動時に発電する機能を有する。
【００１２】
電動モータ６は、三相交流モータであり、Ｕ相端子６ａと、Ｖ相端子６ｂと、Ｗ相端子６ｃと、を有している。ジェネレータ７は、Ｕ相端子７ａと、Ｖ相端子７ｂと、Ｗ相端子７ｃと、を有している。
【００１３】
電力変換装置１０は、冷却器１００（図２に示す）と、電力を平滑する平滑コンデンサ３１と、冷却器１００の受熱面１０１上に設けられる支持フレーム１１０（図２に示す）と、複数のスイッチング装置を有し、電池５から供給される直流電力の電圧を昇圧するＤＣ−ＤＣコンバータ２０と、複数のスイッチング装置を有し、ＤＣ−ＤＣコンバータ２０で昇圧された直流電力を三相交流電力に変換して電動モータ６に供給するインバータ３０と、複数のスイッチング装置を有し、ジェネレータ７で発電された三相交流電力を直流電力に変換して電池５に供給するＡＣ−ＤＣコンバータ４０と、バスバー１２０と、インバータ３０とＡＣ−ＤＣコンバータ４０とを制御する第１の制御装置５２０と、ＤＣ−ＤＣコンバータ２０を制御する第２の制御装置５３０と、を有している。
【００１４】
図２は、電力変換装置１０を示す斜視図である。図３は、電力変換装置１０を示す平面図である。図２，３は、制御装置５２０，５３０が搭載された制御回路基板が分離された状態の電力変換装置１０を示している。
【００１５】
図２，３に示すように、冷却器１００上に、ＤＣ−ＤＣコンバータ２０と、インバータ３０と、ＡＣ−ＤＣコンバータ４０とが搭載される。なお、冷却器１００の下方に、平滑コンデンサ３１が設置される。
【００１６】
冷却器１００は、冷却ブロック１０２を有している。冷却ブロック１０２は、例えば、アルミニウムで形成されている。冷却ブロック１０２内には、水等の冷却媒体を流す冷媒流路が形成されている。冷却ブロック１０２の上面には、受熱面１０１が形成されている受熱面１０１は、長方形状の平面に形成されている。
【００１７】
図４は、冷却器１００の受熱面１０１の近傍と支持フレーム１１０とを示す斜視図である。図４に示すように、支持フレーム１１０は、受熱面１０１の周縁部上に配置されて固定される矩形状の外枠１１１と、外枠１１１内に設けられる第１の区画梁１１２と第２の区画梁１１３と第３の区画梁１１４とを有している。
【００１８】
ここで、第１の直線方向Ｖ１と、第２の直線方向Ｖ２と、上下方向Ｖ３とを定義する。方向Ｖ１，Ｖ２，Ｖ３は、互いに直交する。第１の直線方向Ｖ１は、受熱面１０１の短手方向に平行な方向である。第２の直線方向Ｖ２は、受熱面１０１の長手方向に平行な方向である。上下方向Ｖ３は、受熱面１０１に直交する方向である。受熱面１０１に対して支持フレーム１１０が設けられる側を上側として上下を設定する。
【００１９】
外枠１１１は、内側に収容空間を形成するように構成されており、第１の側部１１１ａと、第２の側部１１１ｂと、第３の側部１１１ｃと、第４の側部１１１ｄとを有している。
【００２０】
第１の側部１１１ａ及び第２の側部１１１ｂは、第１の直線方向Ｖ１に延びており、互いに第２の直線方向Ｖ２に離間して配置されている。第３の側部１１１ｃは、側部１１１ａ，１１１ｂの第１の直線方向Ｖ１の一端に連結されている。第４の側部１１１ｄは、第１の直線方向Ｖ１に側部１１１ａ，１１１ｂの他端に連結されている。側部１１１ｃ，１１１ｄは、第２の直線方向Ｖ２に延びている。
【００２１】
第１の区画梁１１２と第２の区画梁１１３と第３の区画梁１１４とは、外枠１１１の内側に設けられており、外枠１１１内の収容空間を、第１の収容空間１１５、第２の収容空間１１６、第３の収容空間１１７、第４の収容空間１１８に区画している。
【００２２】
第１の区画梁１１２は、第１の側部１１１ａに対して第２の直線方向Ｖ２に離れた位置に配置されており、側部１１１ａ，１１１ｃ，１１１ｄとの間に第１の収容空間１１５を形成するように、一端が第３の側部１１１ｃに連結され、他端が第４の側部１１１ｄに連結されている。第１の区画梁１１２は、第１の直線方向Ｖ１に延びている。
【００２３】
第２の区画梁１１３は、第１の区画梁１１２に対して第２の直線方向Ｖ２に離れた位置に配置されており、第１の区画梁１１２と側部１１１ｃ，１１１ｄとの間に第２の収容空間１１６を形成するように、一端が第３の側部１１１ｃに連結され、他端が第４の側部１１１ｄに連結されている。第２の区画梁１１３は、第１の直線方向Ｖ１に延びている。
【００２４】
第３の区画梁１１４は、第２の区画梁１１３に対して第２の直線方向Ｖ２に離れた位置に配置されており、第２の区画梁１１３と側部１１１ｃ，１１１ｄとの間に第３の収容空間１１７を形成するように、かつ、側部１１１ｂ，１１１ｃ，１１１ｄとの間に第４の収容空間１１８を形成するように、一端が第３の側部１１１ｃに連結され、他端が第４の側部１１１ｄに連結されている。第３の区画梁１１４は、第１の直線方向Ｖ１に延びている。
【００２５】
側部１１１ａ，１１１ｂと、区画梁１１２，１１３，１１４には、端子が設けられている。各端子は、側部１１１ａ，１１１ｂと、区画梁１１２，１１３，１１４とから露出するように設けられている。各端子は、後述されるバスバーの一部である。
【００２６】
第１の側部１１１ａの第１の区画梁１１２側の側面には、第１の端子１２１、第２の端子１２２、第３の端子１２３、第４の端子１２４、第５の端子１２５、第６の端子１２６が設けられている。
【００２７】
端子１２１〜１２６は、上下方向Ｖ３に延びる板形状に形成されている。端子１２１〜１２６は、第１の直線方向Ｖ１に直交する姿勢で、第１の直線方向Ｖ１に第４の側部１１１ｄから第３の側部１１１ｃに向かって順番に等間隔離間して並んで配置されている。
【００２８】
第１の区画梁１１２の上端面には、第７の端子１２７、第８の端子１２８、第９の端子１２９、第１０の端子１３０、第１１の端子１３１、第１２の端子１３２が設けられている。
【００２９】
端子１２７〜１３２は、第２の直線方向Ｖ２に延びる板形状に形成されている。端子１２７〜１３２は、第１の直線方向Ｖ１に直交する姿勢で、第１の直線方向Ｖ１に第４の側部１１１ｄから第３の側部１１１ｃに向かって順番に等間隔離間して並んで配置されている。端子１２７〜１３２は、第１の区画梁１１２よりも第１の収容空間１１５側に突出している。
【００３０】
第１の区画梁１１２の上端面には、第１３の端子１３３、第１４の端子１３４、第１５の端子１３５、第１６の端子１３６、第１７の端子１３７、第１８の端子１３８が設けられている。
【００３１】
端子１３３〜１３８は、第２の直線方向Ｖ２に延びる板形状に形成されている。端子１２７〜１３２は、第１の直線方向Ｖ１に直交する姿勢で、第１の直線方向Ｖ１に第４の側部１１１ｄから第３の側部１１１ｃに向かって順番に等間隔離間して並んで配置されている。端子６１〜１３８は、第１の区画梁１１２よりも第２の収容空間１１６側に突出している。
【００３２】
第２の区画梁１１３の第１の区画梁１１２側の内面には、第１９の端子１３９、第２０の端子１４０、第２１の端子１４１、第２２の端子１４２、第２３の端子１４３、第２４の端子１４４が設けられている。
【００３３】
端子１３９〜１４４は、上下方向Ｖ３に延びる板形状に形成されている。端子１３９〜１４４は、第１の直線方向Ｖ１に直交する姿勢で、第１の直線方向Ｖ１に第４の側部１１１ｄから第３の側部１１１ｃに向かって順番に等間隔離間して並んで配置されている。
【００３４】
第２の区画梁１１３の第３の区画梁１１４側の側面には、第２５の端子１４５、第２６の端子１４６、第２７の端子１４７、第２８の端子１４８、第２９の端子１４９、第３０の端子１５０が設けられている。
【００３５】
端子１４５〜１５０は、上下方向Ｖ３に延びる板形状に形成されている。端子１４５〜１５０は、第１の直線方向Ｖ１に直交する姿勢で、第１の直線方向Ｖ１に第４の側部１１１ｄから第３の側部１１１ｃに向かって順番に等間隔離間して並んで配置されている。
【００３６】
第３の区画梁１１４の上面には、第３１の端子１５１、第３２の端子１５２、第３３の端子１５３、第３４の端子１５４、第３５の端子１５５、第３６の端子１５６が設けられている。
【００３７】
端子１５１〜１５６は、第２の直線方向Ｖ２に延びる板形状に形成されている。端子１５１〜１５６は、第１の直線方向Ｖ１に直交する姿勢で、第１の直線方向Ｖ１に第４の側部１１１ｄから第３の側部１１１ｃに向かって順番に等間隔離間して並んで配置されている。端子１５１〜１５６は、第３の区画梁１１４よりも第３の収容空間１１７側に突出している。
【００３８】
第３の区画梁１１４の上面には、第３７の端子１５７、第３８の端子１５８、第３９の端子１５９、第４０の端子１６０、第４１の端子１６１、第４２の端子１６２が設けられている。
【００３９】
端子１５７〜１６２は、第２の直線方向Ｖ２に延びる板形状に形成されている。端子１５７〜１６２は、第１の直線方向Ｖ１に直交する姿勢で、第１の直線方向Ｖ１に第４の側部１１１ｄから第３の側部１１１ｃに向かって順番に等間隔離間して並んで配置されている。端子１５７〜１６２は、第３の区画梁１１４よりも第４の収容空間１１８側に突出している。
【００４０】
第２の側部１１１ｂの第３の区画梁１１４側の側面には、第４３の端子１６３、第４４の端子１６４、第４５の端子１６５、第４６の端子１６６、第４７の端子１６７、第４８の端子１６８が設けられている。
【００４１】
端子１６３〜１６８は、上下方向Ｖ３に延びる板形状に形成されている。端子１６３〜１６８は、第１の直線方向Ｖ１に直交する姿勢で、第１の直線方向Ｖ１に第４の側部１１１ｄから第３の側部１１１ｃに向かって順番に等間隔離間して並んで配置されている。
【００４２】
図５は、バスバー１２０が後述する複数のスイッチング装置に電気的に接続された状態を示す斜視図である。図５に示すように、バスバー１２０は、複数のスイッチング装置を互いに電気的に接続することによって、上述した、ＤＣ−ＤＣコンバータ２０と、インバータ３０と、ＡＣ−ＤＣコンバータ４０とを構成可能に形成されている。
【００４３】
また、バスバー１２０は、ＤＣ−ＤＣコンバータ２０を電池５に接続可能に、インバータ３０を電動モータ６に接続可能に、ＡＣ−ＤＣコンバータ４０をジェネレータ７に接続可能に形成されている。
【００４４】
バスバー１２０は、複数のスイッチング装置のうち上アームを構成するスイッチング装置のコレクタ端子が接続されるコレクタバスバー２００と、複数のスイッチング装置のうち下アームを構成するスイッチング装置のエミッタ端子が接続されるエミッタバスバー２２０と、を有している。
【００４５】
また、バスバー１２０は、インバータ３０と電動モータ６のＵ相端子６ａとに接続可能に形成されるモータＵ相バスバー２４０と、インバータ３０と電動モータ６のＶ相端子６ｂとに接続可能に形成されるモータＶ相バスバー２５０と、インバータ３０と電動モータ６のＷ相端子６ｃとに接続可能に形成されるモータＷ相バスバー２６０とを有している。
【００４６】
また、バスバー１２０は、ＡＣ−ＤＣコンバータ４０とジェネレータ７のＵ相端子７ａとに接続可能に形成されるジェネレータＵ相バスバー２７０と、ＡＣ−ＤＣコンバータ４０とジェネレータ７のＶ相端子７ｂとに接続可能に形成されるジェネレータＶ相バスバー２８０と、ＡＣ−ＤＣコンバータ４０とジェネレータ７のＷ相端子７ｃとに接続可能に形成されるジェネレータＷ相バスバー２９０とを有している。
【００４７】
また、バスバー１２０は、電池５の正極に接続可能に形成される電池正極バスバー３００と、電池５の負極に接続可能に形成される電池負極バスバー３１０と、ＤＣ−ＤＣコンバータ２０の上アームを構成するスイッチング装置のエミッタ端子と下アームを構成するスイッチング装置のコレクタ端子とを接続可能に形成される上下アーム構成バスバー３２０と、を有している。
【００４８】
これら複数のバスバーは、互いに組み合わされている。互いに組み合わされた状態では、平面視で、上下方向Ｖ３に互いに一部が重なって配置される箇所がある。互いに重なるバスバーは、上下方向Ｖ３に互いに離間することによって互いに接触していない。
【００４９】
図６，７は、バスバー１２０がスイッチング装置に接続された状態を示す平面図である。なお、図６は、エミッタバスバー２２０が省略されている。図７は、コレクタバスバー２００が省略されている。
【００５０】
図６に示すように、コレクタバスバー２００は、第４の側部１１１ｄ内に収容されて第２の直線方向Ｖ２に延びる直線状のコレクタ連結バスバー２０１と、第１の区画梁１１２内に収容され、コレクタ連結バスバー２０１の一端に連結されて第１の直線方向Ｖ１に延びる直線状に形成される第１のコレクタバスバー層（第２のバスバー層、第２の接続バスバー層、第１のコレクタ用バスバー層）２０２と、第１の区画梁１１２内に収容され、第１のコレクタバスバー層２０２から分岐されて第１の直線方向Ｖ１に延びる直線状に形成される第２のコレクタバスバー層２０３と、第３の区画梁１１４内に収容され、コレクタ連結バスバー２０１の他端に連結されて第１の直線方向Ｖ１に延びる直線状に形成される第３のコレクタバスバー層（第２のバスバー層、第３の接続バスバー層、第２のコレクタ用バスバー層）２１０と、第３の区画梁１１４内に収容され、第３のコレクタバスバー層２１０から分岐されて第１の直線方向Ｖ１に延びる直線状に形成される第４のコレクタバスバー層（第４のバスバー層、第４の接続用バスバー層、第３のコレクタ用バスバー層）２１１と、を有している。
【００５１】
本実施形態では、一例として、一方向に長い板形状の金属材料に対して折り曲げ加工を施すことによって、コレクタ連結バスバー２０１と、コレクタバスバー層２０２，２０３，２１０，２１１が形成されている。つまり、コレクタバスバー２００は、一つの板部材に対して折り曲げ加工を施すことによって、形成されている。
【００５２】
コレクタ連結バスバー２０１は、板形状であって、上下方向Ｖ３の幅が一例として略一定であり、第１の直線方向Ｖ１の厚みが一例として一定である。コレクタ連結バスバー２０１には、平滑コンデンサ３１の正極に接続可能に形成される一対の正極側端子２０１ａが形成されている。正極側端子２０１ａは、図３に示すように、第３の側部１１１ｃから外側に出ている。
【００５３】
第１のコレクタバスバー層２０２は、第１の区画梁１１２の第２の収容空間１１６側に配置されている。第１のコレクタバスバー層２０２は、図６に示すように、インバータ３０のＵ相の上アームを構成するスイッチング装置のコレクタ端子と、ＡＣ−ＤＣコンバータ４０のＵ相の上アームを構成するスイッチング装置のコレクタ端子とが接続可能に形成されている。
【００５４】
具体的には、第１のコレクタバスバー層２０２は、帯状に形成される第１のコレクタバスバー基部（第２の基部、第２のバスバー基部、第１のコレクタ層用基部）４００と、第１３の端子（第２の端子、第２のバスバー端子、第１のコレクタ層用端子）１３３と、第１６の端子（第２の端子、第２のバスバー端子、第１のコレクタ用端子）１３６と、第１７の端子（第２の端子、第２のバスバー端子、第１のコレクタ用端子）１３７と、を有している。図８は、コレクタバスバー２００とエミッタバスバー２２０とが組み合わさった状態を示す斜視図である。図８に示すように、第１のコレクタバスバー基部４００は、端子１３３，１３６，１３７と一体に形成されている。
【００５５】
第１のコレクタバスバー基部４００は、上下方向Ｖ３の幅が一例として略一定である。第１のコレクタバスバー基部４００の第２の直線方向Ｖ２の厚みは、一例として一定である。第１のコレクタバスバー基部４００の上下方向Ｖ３の幅は、第２の直線方向Ｖ２の厚みに対して大きい。
【００５６】
ここで、図６を参照して、第１の区画梁１１２内に第１の平面Ｐ１と、第２の平面Ｐ２と、を設定する。なお、平面Ｐ１，Ｐは、実際に存在するものではなく、仮想平面である。第１の平面Ｐ１は、第１の区画梁１１２の第１の側部１１１ａ側の側面近傍に設定されており、第２の直線方向Ｖ２に直交する平面である。第２の平面Ｐ２は、第１の区画梁１１２の第２の区画梁１１３側の側面近傍に設定されており、第２の直線方向Ｖ２に直交する平面である。第１のコレクタバスバー基部４００は、第２の平面Ｐ２に沿って延びている。
【００５７】
第１のコレクタバスバー基部４００の上端には、複数の第１の端子形成部２０４が一体に形成されている。第１の端子形成部２０４は、第１のコレクタバスバー基部４００に沿って延びる板形状であって、第１のコレクタバスバー基部４００から延びている。第１の端子形成部２０４の基端以外の部分は、第１のコレクタバスバー層２０２との間に、隙間を有している。第１の端子形成部２０４は、屈曲部で屈曲されることによって第１の区画梁１１２よりも第２の収容空間１１６内に突出している。第１の端子形成部２０４において第２の収容空間１１６内に出る部分が、端子１３３，１３６，１３７となる。
【００５８】
なお、上述のように、第１のコレクタバスバー基部４００と、複数の第１の端子形成部２０４とは、同一の板部材から形成されている。
【００５９】
第２のコレクタバスバー層２０３は、図６に示すように、第１の区画梁１１２の第１の収容空間１１５側に配置されている。第２のコレクタバスバー層２０３は、ＤＣ−ＤＣコンバータ２０の上アームを構成するスイッチング装置のコレクタ端子が接続可能に形成されている。具体的には、第２のコレクタバスバー層２０３は、第１の平面Ｐ１に沿って延びる帯状に形成される第２のコレクタバスバー基部４０１と、第７の端子１２７と、第９の端子１２９と、第１１の端子１３１と、を有している。
【００６０】
第２のコレクタバスバー基部４０１は、第１の平面Ｐ１に沿って延びている。第２のコレクタバスバー基部４０１は、上下方向Ｖ３の幅が一例として略一定である。第２のコレクタバスバー基部４０１の第２の直線方向Ｖ２の厚みは、一例として一定である。第２のコレクタバスバー基部４０１の上下方向Ｖ３の幅は、第２の直線方向Ｖ２の厚みに対して大きい。
【００６１】
第２のコレクタバスバー基部４０１の上端には、図８に示すように、第２の端子形成部２０７が一体に形成されている。第２の端子形成部２０７は、第２のコレクタバスバー基部４０１の上縁に沿って延びる板形状であって、第２のコレクタバスバー基部４０１から延びている。第２の端子形成部２０７の一端以外の部分は、第２のコレクタバスバー基部４０１との間に、隙間を有している。第２の端子形成部２０７は、屈曲部で屈曲されることによって第１の区画梁１１２よりも第１の収容空間１１５内に突出している。第２の端子形成部２０７において第１の収容空間１１５内に出る部分が、端子１２７，１２９，１３１となる。
【００６２】
なお、上述のように、第２のコレクタバスバー基部４０１と、第２の端子形成部２０７とは、同一の板部材から形成されている。
【００６３】
第１のコレクタバスバー層２０２と第２のコレクタバスバー層２０３とは、第１の連結部２０２ａによって、互いに連結されている。図９は、図８に示す範囲Ｆ９を拡大して示す斜視図である。図９に示すように、連結部２０２ａは、コレクタバスバー層２０２，２０３の連結バスバー２０１側の端部の下端に設けられている。
【００６４】
第１のコレクタバスバー層２０２と第２のコレクタバスバー層２０３と第１の連結部２０２ａとは、一体に形成されている。具体的には、第１のコレクタバスバー層２０２と第２のコレクタバスバー層２０３と連結部２０２ａとは、同一の板部材から形成されており、展開した状態の板部材に対して第１の連結部２０２ａを形成する部分で折り曲げることによって、コレクタバスバー層２０２，２０３と第１の連結部２０２ａとを形成することができる。
【００６５】
第３のコレクタバスバー層２１０は、図６に示すように、第３の区画梁１１４内の第３の収容空間１１７側に配置されている。第３のコレクタバスバー層２１０は、インバータ３０のＶ相の上アームを構成するスイッチング装置のコレクタ端子と、ＡＣ−ＤＣコンバータ４０のＶ相の上アームを構成するスイッチング装置のコレクタ端子と、が接続可能に形成されている。
【００６６】
具体的には、帯状に形成される第３のコレクタバスバー層２１０は、第３のコレクタバスバー基部（第２の基部、第３のバスバー基部、第２のコレクタ層用基部）４０２と、第３１の端子１５１（第２の端子、第２のバスバー端子、第２のコレクタ層用端子）と、第３４の端子（第２の端子、第２のバスバー端子、第２のコレクタ層用端子）１５４と、第３５の端子（第２の端子、第２のバスバー端子、第２のコレクタ層用端子）１５５と、を有している。
【００６７】
第３のコレクタバスバー基部４０２は、上下方向Ｖ３の幅が一例として略一定である。第３のコレクタバスバー基部４０２の第２の直線方向Ｖ２の厚みは、一例として一定である。第３のコレクタバスバー基部４０２の上下方向Ｖ３の幅は、略一定であり、第２の直線方向Ｖ２の厚みに対して大きい。
【００６８】
ここで、第３の区画梁１１４内に第３の平面Ｐ３と、第４の平面Ｐ４と、を設定する。なお、平面Ｐ３，Ｐ４は、実際に存在するものではなく、仮想平面である。第３の平面Ｐ３は、第３の区画梁１１４の第２の区画梁１１３側の側面近傍に設定されており、第２の直線方向Ｖ２に直交する平面である。第４の平面Ｐ４は、第３の区画梁１１４の第２の側部１１１ｂ側の側面近傍に設定されており、第２の直線方向Ｖ２に直交する平面である。第３のコレクタバスバー基部４０２は、第３の平面Ｐ３に沿って延びている。
【００６９】
第３のコレクタバスバー基部４０２の上端には、図８に示すように、第３の端子形成部２１２が一体に形成されている。第３の端子形成部２１２は、第３のコレクタバスバー基部４０２の上縁に沿って延びる板形状であって、第３のコレクタバスバー基部４０２から延びている。第３の端子形成部２１２の一端以外の部分は、第３のコレクタバスバー層２１０との間に、隙間を有している。第３の端子形成部２１２は、屈曲部で屈曲されることによって第３の区画梁１１４よりも第３の収容空間１１７内に突出している。第３の端子形成部２１２において第３の収容空間１１７内に出る部分が、端子１５６，１６０，１６１となる。
【００７０】
なお、上述のように、第３のコレクタバスバー基部４０２と、第３の端子形成部２１２とは、同一の板部材から形成されている。
【００７１】
第４のコレクタバスバー層２１１は、図６に示すように、第３の区画梁１１４の第２の側部１１１ｂ側に配置されている。第４のコレクタバスバー層２１１は、インバータ３０のＷ相の上アームを構成するスイッチング装置のコレクタ端子と、ＡＣ−ＤＣコンバータ４０のＷ相の上アームを構成するスイッチング装置のコレクタ端子と、が接続可能に形成されている。
【００７２】
具体的には、第４のコレクタバスバー層２１１は、帯状に形成される第４のコレクタバスバー基部（第４の基部、第４のバスバー基部、第２のコレクタ層用基部）４０３と、第３７の端子（第４の端子、第４のバスバー端子、第２のコレクタ層用端子）１５７と、第４０の端子（第４の端子、第４のバスバー端子、第２のコレクタ層用端子）１６０と、第４１の端子（第４の端子、第４のバスバー端子、第２のコレクタ層用端子）１６１と、を有している。
【００７３】
第４のコレクタバスバー基部４０３は、第４の平面Ｐ４に沿って延びている。第４のコレクタバスバー基部４０３は、上下方向Ｖ３の幅が一例として略一定である。第４のコレクタバスバー基部４０３の第２の直線方向Ｖ２の厚みは、一例として一定である。第４のコレクタバスバー基部４０３の上下方向Ｖ３の幅は、第２の直線方向Ｖ２の厚みに対して大きい。
【００７４】
第４のコレクタバスバー基部４０３の上端には、図８に示すように、第４の端子形成部２１４が一体に形成されている。第４の端子形成部２１４は、第４のコレクタバスバー基部４０３の上縁に沿って延びる板形状であって、第４のコレクタバスバー層２１１から延びている。第４の端子形成部２１４の一端以外の部分は、第４のコレクタバスバー基部４０３との間に、隙間を有している。
【００７５】
第４の端子形成部２１４は、屈曲部で屈曲されることによって第３の区画梁１１４よりも第４の収容空間１１８内に突出している。第４の端子形成部２１４において第４の収容空間１１８内に出る部分が、端子１５７，１６０，１６１となる。
【００７６】
なお、上述のように、第４のコレクタバスバー基部４０３と第４の端子形成部２１４とは、同一の板部材から形成されている。
【００７７】
第３のコレクタバスバー層２１０と第４のコレクタバスバー層２１１とは、第２の連結部２１０ａによって、互いに連結されている。図１０は、コレクタバスバー２００とエミッタバスバー２２０とが組み合わさった状態を、下方から見た状態を示す斜視図である。図１０に示すように、第２の連結部２１０ａは、コレクタバスバー層２１０，２１１の連結バスバー２０１側の端部の下端に設けられている。
【００７８】
第３のコレクタバスバー層２１０と第４のコレクタバスバー層２１１と第２の連結部２１０ａとは、一体に形成されている。具体的には、第３のコレクタバスバー層２１０と第４のコレクタバスバー層２１１と第２の連結部２１０ａとは、同一板部材から形成されており、展開した状態の板部材に対して第２の連結部２１０ａを形成する部分折り曲げることによって、コレクタバスバー層２１０，２１１と第２の連結部２１０ａとを形成することができる。
【００７９】
図７に示すように、エミッタバスバー２２０は、第４の側部１１１ｄ内に収容されて第２の直線方向Ｖ２に延びる直線状のエミッタ連結バスバー２２１と、第１の区画梁１１２内に収容され、エミッタ連結バスバー２２１の一端に連結されて第１の直線方向Ｖ１に延びる直線状に形成される第１のエミッタバスバー層（第１のバスバー層、第１の接続バスバー層、第１のエミッタ用バスバー層）２２２と、第１の区画梁１１２内に収容され、第１のエミッタバスバー層２２２から分岐されて第１の直線方向Ｖ１に延びる直線状に形成される第２のエミッタバスバー層２２３と、第３の区画梁１１４内に収容され、エミッタ連結バスバー２２１の他端に連結されて第１の直線方向Ｖ１に延びる直線状に形成される第３のエミッタバスバー層（第１のバスバー層、第５の接続バスバー層、第２のエミッタ用バスバー層）２３０と、第３の区画梁１１４内に収容され、第３のエミッタバスバー層２３０から分岐されて第１の直線方向Ｖ１に延びる直線状に形成される第４のエミッタバスバー層（第３のバスバー層、第６の接続バスバー層、第３のエミッタ用バスバー層）２３１と、を有している。
【００８０】
本実施形態では、一例として、一方向に長い板形状の金属材料に対して折り曲げ加工を施すことによって、エミッタ連結バスバー２２１と、エミッタバスバー層２２２，２２３，２３０，２３１が、一体に形成されている。つまり、第２のエミッタバスバー２２０は、１つの板部材に対して折り曲げ加工を施すことによって、形成されている。
【００８１】
エミッタ連結バスバー２２１は、コレクタ連結バスバー２０１に対して外側に配置されている。エミッタ連結バスバー２２１は、板形状であって、上下方向Ｖ３の幅が一例として略一定であり、第１の直線方向Ｖ１の厚みが一例として一定である。エミッタ連結バスバー２２１には、平滑コンデンサ３１の負極に接続可能に形成される一対の負極側端子２２１ａが形成されている。負極側端子２２１ａは、図３に示すように、第３の側部１１１ｃから外側に出ている。
【００８２】
第１のエミッタバスバー層２２２は、図７に示すように、第１の区画梁１１２の第２の収容空間１１６側に配置されている。第１のエミッタバスバー層２２２は、インバータ３０のＵ相の下アームを構成するスイッチング装置のエミッタ端子と、ＡＣ−ＤＣコンバータ４０のＵ相の下アームを構成するスイッチング装置のエミッタ端子とが接続可能に形成されている。
【００８３】
具体的には、第１のエミッタバスバー層２２２は、第１のエミッタバスバー基部（第１の基部、第１のバスバー基部、第１のエミッタ層用基部）４１０と、第１４の端子（第１の端子、第１のバスバー端子、第１のエミッタ層用端子）１３４と、第１５の端子（第１の端子、第１のバスバー端子、第１のエミッタ層用端子）１３５と、第１８の端子（第１の端子、第１のバスバー端子、第１のエミッタ層用端子）１３８と、を有している。図８に示すように、第１のエミッタバスバー基部４１０は、端子１３４，１３５，１３８と一体に形成されている。
【００８４】
第１のエミッタバスバー基部４１０は、上下方向Ｖ３の幅が一例として略一定である。第１のエミッタバスバー基部４１０の第２の直線方向Ｖ２の厚みは、一例として一定である。第１のエミッタバスバー基部４１０の上下方向Ｖ３の幅は、第２の直線方向Ｖ２の厚みに対して大きい。
【００８５】
ここで、図７を参照して、第１の区画梁１１２内に第５の平面Ｐ５と、第６の平面Ｐ６と、を設定する。なお、平面Ｐ５，Ｐ６は、実際に存在するものではなく、仮想平面である。第５の平面Ｐ５は、平面Ｐ１，Ｐ２間に設定されており、第２の直線方向Ｖ２に直交する平面である。第６の平面Ｐ６は、平面Ｐ５，Ｐ２間に設定されており、第２の直線方向Ｖ２に直交する平面である。第１のエミッタバスバー基部４１０は、第６の平面Ｐ６に沿って延びている。
【００８６】
第１のエミッタバスバー基部４１０の上端には、図８に示すように、第５の端子形成部２２４が一体に形成されている。第５の端子形成部２２４は、板状に形成されており、第１のエミッタバスバー基部４１０から延びている。
【００８７】
第５の端子形成部２２４は、屈曲部で屈曲されることによって第１の区画梁１１２よりも第２の収容空間１１６内に突出している。第５の端子形成部２２４は、基端以外の部分は、第１のエミッタバスバー基部４１０との間に隙間を有しており、第１のエミッタバスバー基部４１０に接触していない。第５の端子形成部２２４において第２の収容空間１１６内に出る部分が、端子１３４，１３５，１３８となる。
【００８８】
なお、上述のように、第１のエミッタバスバー基部４１０と第５の端子形成部２２４とは、同一の板部材から形成されている。
【００８９】
第２のエミッタバスバー層２２３は、ＤＣ−ＤＣコンバータ２０の下アームを構成するスイッチング装置のエミッタ端子が接続可能に形成されている。
【００９０】
具体的には、第２のエミッタバスバー層２２３は、第２のエミッタバスバー基部４１１と、第８の端子１２８と、第１０の端子１３０と、第１２の端子１３２と、を有している。第２のエミッタバスバー基部４１１は、図７に示すように、第５の平面Ｐ５に沿って延びている。第２のエミッタバスバー基部４１１は、上下方向Ｖ３の幅が一例として略一定である。第２のエミッタバスバー基部４１１の第２の直線方向Ｖ２の厚みは、一例として一定である。第２のエミッタバスバー基部４１１の上下方向Ｖ３の幅は、略一定であり、第２の直線方向Ｖ２の厚みに対して大きい。
【００９１】
第２のエミッタバスバー基部４４１の上端には、図８に示すように、第６の端子形成部２２７が一体に形成されている。第６の端子形成部２２７は、板形状であって、第２のエミッタバスバー層２２３から延びている。第６の端子形成部２２７の基端以外の部分は、第２のエミッタバスバー基部４４１との間に隙間を有している。
【００９２】
第６の端子形成部２２７は、屈曲部で屈曲されることによって第１の区画梁１１２よりも第１の収容空間１１５内に突出している。第６の端子形成部２２７において第１の収容空間１１５内に出る部分が、端子１２８，１３０，１３２となる。
【００９３】
なお、上述のように、第２のエミッタバスバー基部４４１と第６の端子形成部２２７とは、同一の板部材から形成されている。
【００９４】
第１のエミッタバスバー層２２２と第２のエミッタバスバー層２２３とは、第３の連結部２２２ａによって、互いに連結されている。図１０に示すように、第３の連結部２２２ａは、エミッタバスバー層２２２，２２３の連結バスバー２２１側の端部の下端に設けられている。第３の連結部２２２ａは、第１の連結部２０２ａ上に配置されている。
【００９５】
第１のエミッタバスバー層２２２と第２のエミッタバスバー層２２３と第３の連結部２２２ａとは、一体に形成されており、展開した状態の板部材を第３の連結部２２２ａを形成する部分で折り曲げることによって、エミッタバスバー層２２２，２２３と、第３の連結部２２２ａと、を形成することができる。
【００９６】
図１１は、図９に示すＦ１１−Ｆ１１線断面に沿って示す連結部２０２ａ，２２２ａを切断した状態を示す断面図である。図１１に示すように、コレクタバスバー層２０２，２０３と第１の連結部２０２ａとの一体物と、エミッタバスバー層２２２，２２３と第３の連結部２２２ａとの一体物との間には、絶縁物Ｉが設けられている。より具体的には、絶縁物Ｉは、コレクタバスバー層２０２，２０３と第１の連結部２０２ａとによって形成される断面凹状の部分と、エミッタバスバー層２２２，２２３と第３の連結部２２２ａとによって形成される断面凹状の部分との間に配置されている。
【００９７】
絶縁物Ｉは、断面凹形状を有している。具体的には、絶縁物Ｉは、第１のコレクタバスバー層２０２の第１のコレクタバスバー基部４００の連結部２０２ａ側の端部と第１のエミッタバスバー層２２２の第１のエミッタバスバー基部４１０の連結部２２２ａ側の端部との間に配置される板形状の部分Ｉ１と、第２のコレクタバスバー層２０３の第２のコレクタバスバー基部４０１の連結部２０２ａ側の端部と第２のエミッタバスバー層２２３の第２のエミッタバスバー基部４１１の連結部２２２ａ側の端部との間に配置される板形状の部分Ｉ２と、連結部２０２ａ，２２２ａ間に配置される板形状の部分Ｉ３と、を有している。これら部分Ｉ１，Ｉ２，Ｉ３は、一体に形成されている。
【００９８】
このように、第１のコレクタバスバー層２０２上に絶縁物Ｉから形成されるインシュレータ層が設けられ、この絶縁物Ｉから形成されるインシュレータ層上に第１のエミッタバスバー層２２２が設けられる。
【００９９】
同様に、第２のコレクタバスバー層２０３上に絶縁物Ｉから形成されるインシュレータ層が設けられ、この絶縁物Ｉから形成されるインシュレータ層上に第２のエミッタバスバー層２２３が設けられる。
【０１００】
図７に示すように、第３のエミッタバスバー層２３０は、インバータ３０のＶ相の下アームを構成するスイッチング装置のエミッタ端子と、ＡＣ−ＤＣコンバータ４０のＶ相の下アームを構成するスイッチング装置のエミッタ端子と、が接続可能に形成されている。
【０１０１】
具体的には、第３のエミッタバスバー層２３０は、帯状に形成される第３のエミッタバスバー基部（第１の基部、第５のバスバー基部、第２のエミッタ層用基部）４１２と、第３２の端子（第１の端子、第５のバスバー端子、第２のエミッタ層用端子）１５２と、第３３の端子（第１の端子、第５のバスバー端子、第２のエミッタ層用端子）１５３と、第３６の端子（第１の端子、第５のバスバー端子、第２のエミッタ層用端子）１５６と、を有している。
【０１０２】
第３のエミッタバスバー基部４１２は、上下方向Ｖ３の幅が一例として略一定である。第３のエミッタバスバー基部４１２の第２の直線方向Ｖ２の厚みは、一例として一定である。第３のエミッタバスバー基部４１２の上下方向Ｖ３の幅は、略一定であり、第２の直線方向Ｖ２の厚みに対して大きい。
【０１０３】
ここで、図７を参照して、第３の区画梁１１４内に第７の平面Ｐ７と、第８の平面Ｐ８と、を設定する。なお、平面Ｐ７，Ｐ８は、実際に存在するものではなく、仮想平面である。第７の平面Ｐ７は、平面Ｐ３，Ｐ４間に設定されており、第２の直線方向Ｖ２に直交する平面である。第８の平面Ｐ８は、平面Ｐ７，Ｐ４間に設定されており、第２の直線方向Ｖ２に直交する平面である。第３のエミッタバスバー基部４１２は、第７の平面Ｐ７に沿って延びている。
【０１０４】
第３のエミッタバスバー基部４１２の上端には、図８に示すように、第７の端子形成部２３２が一体に形成されている。第７の端子形成部２３２は、板形状であって、第３のエミッタバスバー基部４１２から延びている。第７の端子形成部２３２は、屈曲部で屈曲されることによって第３の区画梁１１４よりも第３の収容空間１１７内に突出している。第７の端子形成部２３２は、第３のエミッタバスバー基部４１２に対して接触しないよう、その基端以外の部分は、第３のエミッタバスバー基部４１２との間に隙間を有している。第７の端子形成部２３２において第３の収容空間１１７内に出る部分が、端子１５２，１５３，１５６となる。
【０１０５】
なお、第３のエミッタバスバー基部４１２と、第７の端子形成部２３２とは、同一板部材から形成されている。
【０１０６】
第４のエミッタバスバー層２３１は、図７に示すように、第８の平面Ｐ８に沿って延びている。第４のエミッタバスバー層２３１は、インバータ３０のＷ相の下アームを構成するスイッチング装置のエミッタ端子と、ＡＣ−ＤＣコンバータ４０のＷ相の下アームを構成するスイッチング装置のエミッタ端子と、が接続可能に形成されている。
【０１０７】
具体的には、第４のエミッタバスバー層２３１は、帯状に形成される第４のエミッタバスバー基部（第３の基部、第６のバスバー基部、第３のエミッタ層用基部）４１３と、第３８の端子（第３の端子、第６のバスバー端子、第３のエミッタ層用端子）１５８と、第３９の端子１５９と、第４２の端子１６２と、を有している。
【０１０８】
第４のエミッタバスバー基部４１３は、上下方向Ｖ３の幅が一例として略一定である。第４のエミッタバスバー基部４１３の第２の直線方向Ｖ２の厚みは、一例として一定である。第４のエミッタバスバー基部４１３の上下方向Ｖ３の幅は、略一定であり、第２の直線方向Ｖ２の厚みに対して大きい。第４のエミッタバスバー基部４１３は、第８の平面Ｐ８に沿って延びている。
【０１０９】
第４のエミッタバスバー基部４１３の上端には、図８に示すように、第８の端子形成部２３４が一体に形成されている。第８の端子形成部２３４は、板形状であって、第４のエミッタバスバー基部４１３から延びている。第８の端子形成部２３４は、屈曲部で屈曲されることによって第３の区画梁１１４よりも第４の収容空間１１８内に突出している。第８の端子形成部２３４は、第４のエミッタバスバー層２３１に対して接触しないように、その基端以外の部分は、第４のエミッタバスバー基部４１３との間に隙間を有している。第８の端子形成部２３４において第４の収容空間１１８内に出る部分が、端子１５８，１５９，１６２となる。
【０１１０】
なお、第４のエミッタバスバー基部４１３と第８の端子形成部２３４とは、同一の板部材から形成されている。
【０１１１】
第３のエミッタバスバー層２３０と第４のエミッタバスバー層２３１とは、図１０に示すように、第４の連結部２３０ａによって、互いに連結されている。第４の連結部２３０ａは、エミッタバスバー層２３０，２３１のエミッタ連結バスバー２２１側の端部の下端に設けられている。
【０１１２】
第３のエミッタバスバー層２３０と第４のエミッタバスバー層２３１と第４の連結部２３０ａとは、一体に形成されており、展開した状態の板部材を第４の連結部２３０ａを形成する部分で折り曲げることによって、エミッタバスバー層２３０，２３１と第４の連結部２３０ａとを形成することができる。第４の連結部２３０ａは、第２の連結部２１０ａ上に配置されている。
【０１１３】
コレクタバスバー層２１０，２１１と第２の連結部２１０ａとの一体物と、エミッタバスバー層２３１，２３２と第４の連結部２３０ａとの一体物との間には、コレクタバスバー層２０２，２０３と第１の連結部２０２ａとの一体物と、エミッタバスバー層２２２，２２３と第３の連結部２２２ａとの一体物との間に設けられた絶縁物Ｉと同様の絶縁物Ｉが設けられている。
【０１１４】
より具体的には、絶縁物Ｉは、コレクタバスバー層２１０，２１１と第２の連結部２１０ａとによって形成される断面凹状の部分と、エミッタバスバー層２３１，２３２と第４の連結部２３０ａとによって形成される断面凹状の部分との間に配置されている。
【０１１５】
このように、コレクタバスバー層２１０，２１１と第２の連結部２１０ａとの一体物とエミッタバスバー層２３１，２３２と第４の連結部２３０ａとの一体物との間に、絶縁物Ｉが設けられることによって、第３のコレクタバスバー層２１０上に絶縁物Ｉから形成されるインシュレータ層が設けられ、この絶縁物Ｉから形成されるインシュレータ層上に第３のエミッタバスバー層２３０が設けられる。
【０１１６】
同様に、第４のコレクタバスバー層２１１上に絶縁物Ｉから形成されるインシュレータ層が設けられ、この絶縁物Ｉから形成されるインシュレータ層上に第４のエミッタバスバー層２３１が設けられる。
【０１１７】
また、コレクタバスバー２００とエミッタバスバー２２０とは、絶縁物Ｉが設けられる部分以外の部分が互い接触することがないように、隙間を有して配置されている。バスバー１２０は、支持フレーム１１０内に一体にモールドされる。この為、このコレクタバスバー２００とエミッタバスバー２２０との間の隙間には、支持フレーム１１０を構成する樹脂が入り込む。この樹脂によって、コレクタバスバー２００とエミッタバスバー２２０とは、絶縁される。言い換えると、絶縁性を有する樹脂が、コレクタバスバー２００とエミッタバスバーとの間に配置される。コレクタバスバー２００とエミッタバスバー２２０との間に配置される樹脂は、絶縁物Ｉと同様にインシュレータ層を形成する。
【０１１８】
モータＵ相バスバー２４０は、図６に示すように、第３の側部１１１ｃ内に収容されるモータＵ相連結バスバー２４１と、第２の区画梁１１３内に収容されてモータＵ相連結バスバー２４１に連結されるモータＵ相バスバー層（第１の上下アーム形成バスバー層）２４２と、を有している。
【０１１９】
モータＵ相連結バスバー２４１は、電動モータ６のＵ相端子６ａに接続される端子２４１ａが形成されている。端子２４１ａは、第３の側部１１１ｃから外側に出ている。
【０１２０】
ここで、第２の区画梁１１３内に、第９の平面Ｐ９と、第１０の平面Ｐ１０と、第１１の平面Ｐ１１と、第１２の平面Ｐ１２とを設定する。なお、平面Ｐ９，Ｐ１０，Ｐ１１，１２は、実際に存在するものではなく、仮想平面である。
【０１２１】
第９の平面Ｐ９は、第１の区画梁１１２側の側面の近傍に設定されており、第２の直線方向Ｖ２に直交する平面である。第１０の平面Ｐ１０は、第３の区画梁１１４側の側面の近傍に配置されており、第２の直線方向Ｖ２に直交する平面である。第１１の平面Ｐ１１は、平面Ｐ９，Ｐ１０の間に設定されており、第２の直線方向Ｖ２に直交する平面である。第１２の平面Ｐ１２は、平面Ｐ１１，Ｐ１０間に設定されており、第２の直線方向Ｖ２に直交する平面である。
【０１２２】
モータＵ相バスバー２４０の説明に戻る。モータＵ相バスバー層２４２の、第４の側部１１１ｄ側の一端から第１の直線方向Ｖ１に第２２の端子１４２の近傍の部分までは、第９の平面Ｐ９に沿って延びている。モータＵ相バスバー層２４２の第２２の端子１４２の近傍の部分は、第９の平面Ｐ９から第１１の平面Ｐ１１まで、第１の直線方向Ｖ１に対して斜めに延びている。モータＵ相バスバー層２４２の第２２の端子１４２の近傍の部分からモータＵ相連結バスバー２４１までの部分は、第１１の平面Ｐ１１に沿って延びている。
【０１２３】
モータＵ相バスバー層２４２は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１２４】
モータＵ相バスバー層２４２は、インバータ３０のＵ相用の上アームを構成するスイッチング装置のエミッタ端子とインバータ３０のＵ相用の下アームを構成するスイッチング装置のコレクタ端子とに連結可能に形成されている。
【０１２５】
具体的には、モータＵ相バスバー層２４２には、４つの第９の端子形成部２４３が形成されている。これら４つの第９の端子形成部２４３は、第１９の端子１３９と、第２０の端子１４０と、第２１の端子１４１と、第２２の端子１４２との位置に合わせて配置されている。第９の端子形成部２４３は、第１の直線方向Ｖ１に直交する板形状であって、上下方向Ｖ３に延びている。
【０１２６】
端子１３９，１４０の位置に設けられる一対の第９の端子形成部２４３は、第５の連結部２４４によって、モータＵ相バスバー層２４２に連結されている。第５の連結部２４４は、モータＵ相バスバー層２４２の端子１３９，１４０の間の部分の下端に連結されており、モータＵ相バスバー層２４２に対して第２の収容空間１１６側に突出している。
【０１２７】
第５の連結部２４４は、上下方向Ｖ３に直交する板形状である。第５の連結部２４４の第１の直線方向Ｖ１の両端に、第９の端子形成部２４３が連結されている。これら一対の第９の端子形成部２４３の第２の収容空間１１６内に出る部分が、端子１３９，１４０となる。
【０１２８】
端子１４１，１４２の位置に設けられる一対の第９の端子形成部２４３は、第６の連結部２４５によって、モータＵ相バスバー層２４２に連結されている。第６の連結部２４５は、モータＵ相バスバー層２４２の端子１４１，１４２の間の部分の下端に連結されており、モータＵ相バスバー層２４２に対して第２の収容空間１１６側に突出している。
【０１２９】
第６の連結部２４５は、上下方向Ｖ３に直交する板形状である。第６の連結部２４５の第１の直線方向Ｖ１の両端に、第９の端子形成部２４３が連結されている。これら一対の第９の端子形成部２４３の第２の収容空間１１６内に出る部分が、端子１４１，１４２となる。
【０１３０】
このように構成されるモータＵ相バスバー２４０は、例えば一枚の金属製の板部材に対して折り曲げ加工を施すことによって構成されている。
【０１３１】
モータＶ相バスバー２５０は、図７に示すように、第３の側部１１１ｃ内に収容されるモータＶ相連結バスバー２５１と、第２の区画梁１１３内に収容されてモータＶ相連結バスバー２５１に連結されるモータＶ相バスバー層（第２の上下アーム形成バスバー層）２５２と、を有している。
【０１３２】
モータＶ相連結バスバー２５１は、電動モータ６のＶ相端子６ｂに接続される端子２５１ａが形成されている。端子２５１ａは、第３の側部１１１ｃから外側に出ている。
【０１３３】
モータＶ相バスバー層２５２の、第４の側部１１１ｄ側の一端から第１の直線方向Ｖ１に第２８の端子１４８の近傍の部分までは、第１０の平面Ｐ１０に沿って延びている。モータＶ相バスバー層２５２の第２８の端子１４８の近傍の部分は、第１０の平面Ｐ１０から第１２の平面Ｐ１２まで、第１の直線方向Ｖ１に対して斜めに延びている。モータＶ相バスバー層２５２の第２８の端子１４８の近傍の部分からモータＶ相連結バスバー２５１までの部分は、第１２の平面Ｐ１２に沿って延びている。
【０１３４】
モータＶ相バスバー層２５２は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１３５】
モータＶ相バスバー層２５２は、インバータ３０のＶ相用の上アームを構成するスイッチング装置のエミッタ端子とインバータ３０のＶ相用の下アームを構成するスイッチング装置のコレクタ端子とに連結可能に形成されている。
【０１３６】
具体的には、モータＶ相バスバー層２５２には、４つの第第１０の端子形成部２５３が形成されている。これら４つの第１０の端子形成部２５３は、第２５の端子１４５と、第２６の端子１４６と、第２７の端子１４７と、第２８の端子１４８との位置に合わせて配置されている。第第１０の端子形成部２５３は、第１の直線方向Ｖ１に直交する板形状であって、上下方向Ｖ３に延びている。
【０１３７】
端子１４５，１４６の位置に設けられる一対の第１０の端子形成部２５３は、第７の連結部２５４によって、モータＶ相バスバー層２５２に連結されている。第７の連結部２５４は、モータＶ相バスバー層２５２の端子１４５，１４６の間の部分の下端に連結されており、モータＵ相バスバー層２４２に対して第３の収容空間１１７側に突出している。
【０１３８】
第７の連結部２５４は、上下方向Ｖ３に直交する板形状である。第７の連結部２５４の第１の直線方向Ｖ１の両端に、第１０の端子形成部２５３が連結されている。これら一対の第１０の端子形成部２５３の第３の収容空間１１７内に出る部分が、端子１４５，１４６となる。
【０１３９】
端子１４７，１４８の位置に設けられる一対の第１０の端子形成部２５３は、第８の連結部２５５によって、モータＶ相バスバー層２５２に連結されている。第８の連結部２５５は、モータＶ相バスバー層２５２の端子１４７，１４８の間の部分の下端に連結されており、モータＶ相バスバー層２５２に対して第３の収容空間１１７側に突出している。
【０１４０】
第８の連結部２５５は、上下方向Ｖ３に直交する板形状である。第８の連結部２５５の第１の直線方向Ｖ１の両端に、第１０の端子形成部２５３が連結されている。これら一対の第１０の端子形成部２５３の第３の収容空間１１７内に出る部分が、端子１４７，１４８となる。
【０１４１】
このように構成されるモータＶ相バスバー２５０は、例えば一枚の金属製の板部材に対して折り曲げ加工を施すことによって構成されている。
【０１４２】
モータＷ相バスバー２６０は、図６に示すように、第３の側部１１１ｃ内に収容されるモータＷ相連結バスバー２６１と、第２の側部１１１ｂ内に収容されてモータＷ相連結バスバー２６１に連結されるモータＷ相バスバー層（第３の上下アーム形成バスバー層）２６２と、を有している。
【０１４３】
モータＷ相連結バスバー２６１は、電動モータ６のＷ相端子６ｃに接続される端子２６１ａが形成されている。端子２６１ａは、第３の側部１１１ｃから外側に出ている。
【０１４４】
ここで、第２の側部１１１ｂ内に、第１３の平面Ｐ１３と、第１４の平面Ｐ１４とを設定する。なお、平面Ｐ１３，Ｐ１４は、実際に存在するものではなく、仮想平面である。第１３の平面Ｐ１３は、第２の側部１１１ｂにおいて第３の区画梁１１４側の側面の近傍に設定されており、第２の直線方向Ｖ２に直交する平面である。第１４の平面Ｐ１４は、第１３の平面Ｐ１３に対して第２の直線方向Ｖ２に支持フレーム１１０の外側に配置されており、第２の直線方向Ｖ２に直交する平面である。
【０１４５】
モータＷ相バスバー２６０の説明に戻る。モータＷ相バスバー層の、第４の側部１１１ｄ側の一端から第１の直線方向Ｖ１に第４６の端子１６６の近傍の部分までは、第１３の平面Ｐ１３に沿って延びている。モータＷ相バスバー層の第４６の端子１６６の近傍の部分は、第１３の平面Ｐ１３から第１４の平面Ｐ１４まで、第１の直線方向Ｖ１に対して斜めに延びている。モータＷ相バスバー層の第４６の端子１６６の近傍の部分からモータＷ相連結バスバー２６１までの部分は、第１４の平面Ｐ１４に沿って延びている。
【０１４６】
モータＷ相バスバー層は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１４７】
モータＷ相バスバー層は、インバータ３０のＷ相用の上アームを構成するスイッチング装置のエミッタ端子とインバータ３０のＶ相用の下アームを構成するスイッチング装置のコレクタ端子とに連結可能に形成されている。
【０１４８】
具体的には、モータＷ相バスバー層には、４つの第１１の端子形成部２６３が形成されている。これら４つの第１１の端子形成部２６３は、第４３の端子１６３と、第４４の端子１６４と、第４５の端子１６５と、第４６の端子１６６との位置に合わせて配置されている。第１１の端子形成部２６３は、第１の直線方向Ｖ１に直交する板形状であって、上下方向Ｖ３に延びている。
【０１４９】
端子１６３，１６４の位置に設けられる一対の第１１の端子形成部２６３は、第９の連結部２６４によって、モータＷ相バスバー層に連結されている。第９の連結部２６４は、モータＷ相バスバー層の端子１６３，１６４の間の部分の下端に連結されており、モータＷ相バスバー層に対して第４の収容空間１１８側に突出している。
【０１５０】
第９の連結部２６４は、上下方向Ｖ３に直交する板形状である。第９の連結部２６４の第１の直線方向Ｖ１の両端に、第１１の端子形成部２６３が連結されている。これら一対の第１１の端子形成部２６３の第４の収容空間１１８内に出る部分が、端子１６３，１６４となる。
【０１５１】
端子１６５，１６６の位置に設けられる一対の第１１の端子形成部２６３は、第１０の連結部２６５によって、モータＷ相バスバー層に連結されている。第１０の連結部２６５は、モータＷ相バスバー層の端子１６５，１６６の間の部分の下端に連結されており、モータＷ相バスバー層に対して第４の収容空間１１８側に突出している。
【０１５２】
第１０の連結部２６５は、上下方向Ｖ３に直交する板形状である。第１０の連結部２６５の第１の直線方向Ｖ１の両端に、第１１の端子形成部２６３が連結されている。これら一対の第１１の端子形成部２６３の第４の収容空間１１８内に出る部分が、端子１６５，１６６となる。
【０１５３】
このように構成されるモータＷ相バスバー２６０は、例えば一枚の金属製の板部材に折り曲げ加工を施すことによって構成される。
【０１５４】
ジェネレータＵ相バスバー２７０は、図７に示すように、第３の側部１１１ｃ内に収容されるジェネレータＵ相連結バスバー２７１と、第２の区画梁１１３内に収容される第１のジェネレータＵ相バスバー層（第１の上下アーム形成バスバー層）２７２と、第２の区画梁１１３内に収容されてジェネレータＵ連結バスバー２７１に連結される第２のジェネレータＵ相バスバー層２７３と、第２の区画梁１１３内に収容されてジェネレータＵ相バスバー層２７２，２７３に連結される第１１の連結部２７４と、を有している。
【０１５５】
モータＷ相連結バスバー２７１は、ジェネレータ７のＵ相端子７ａに接続される端子２７１ａが形成されている。端子２７１ａは、第３の側部１１１ｃから外側に出ている。
【０１５６】
第１のジェネレータＵ相バスバー層２７２は、第２３の端子１４３と第２４の端子１４４との近傍に配置されており、第９の平面Ｐ９に沿って延びている。
【０１５７】
第１のジェネレータＵ相バスバー層２７２は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１５８】
第１のジェネレータＵ相バスバー層２７２は、ＡＣ−ＤＣコンバータ４０のＵ相用の上アームを構成するスイッチング装置のエミッタ端子とＡＣ−ＤＣコンバータ４０のＵ相用の下アームを構成するスイッチング装置のコレクタ端子とに連結可能に形成されている。
【０１５９】
具体的には、第１のジェネレータＵ相バスバー層２７２には、２つの第１２の端子形成部２７５が形成されている。これら２つの第１２の端子形成部２７５は、第２３の端子１４３と、第２４の端子１４４との位置に合わせて配置されている。第１２の端子形成部２７５は、第１の直線方向Ｖ１に直交する板形状であって、上下方向Ｖ３に延びている。
【０１６０】
端子１４３，１４４の位置に設けられる一対の第１２の端子形成部２７５は、第１２の連結部２７６によって、第１のジェネレータＵ相バスバー層２７２に連結されている。第１２の連結部２７６は、第１のジェネレータＵ相バスバー層２７２の端子１４３，１４４の間の部分の下端に連結されており、第１のジェネレータＵ相バスバー層２７２に対して第２の収容空間１１６側に突出している。
【０１６１】
第１２の連結部２７６は、上下方向Ｖ３に直交する板形状である。第１２の連結部２７６の第１の直線方向Ｖ１の両端に、第１２の端子形成部２７５が連結されている。これら一対の第１２の端子形成部２７５の第２の収容空間１１６内に出る部分が、端子１４３，１４４となる。
【０１６２】
第２のジェネレータＵ相バスバー層２７３は、第３０の端子１５０の近傍に配置されており、第１６の平面Ｐ１６に沿って延びている。第１６の平面Ｐ１６は、平面Ｐ１２，Ｐ１０間に設定される仮想平面である。第１６の平面Ｐ１６は、第２の直線方向Ｖ２に直交する平面である。
【０１６３】
第１１の連結部２７４は、第１のジェネレータＵ相バスバー層２７２の第２４の端子１４４の近傍の下端と第５のバスバーの下端とに連結されている。第１１の連結部２７４は、上下方向Ｖ３に直交する板形状である。第１１の連結部２７４は、モータＵ相バスバー２４０，２５０のバスバー層２４２，２５２よりも下方に配置されており、バスバー層２４２，２５２に接触していない。
【０１６４】
このように構成されるジェネレータＵ相バスバー２７０は、例えば一枚の金属製の板部材に折り曲げ加工を施すことによって構成される。
【０１６５】
ジェネレータＶ相バスバー２８０は、図６に示すように、第３の側部１１１ｃ内に収容されるジェネレータＶ相連結バスバー２８１と、第２の区画梁１１３内に収容されてジェネレータＶ相連結バスバー２８１に連結されるジェネレータＶ相バスバー層（第２の上下アーム形成バスバー層）２８２と、を有している。
【０１６６】
ジェネレータＶ相連結バスバー２８１は、ジェネレータ７のＶ相端子７ｂに接続される端子２８１ａが形成されている。端子２８１ａは、第３の側部１１１ｃから外側に出ている。
【０１６７】
第６のバスバー層２８２の、第２９の端子１４９からジェネレータＶ相連結バスバー２８１まで第１０の平面Ｐ１０に沿って延びている。第６のバスバー層２８２は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１６８】
第６のバスバー層２８２は、ＡＣ−ＤＣコンバータ４０のＶ相用の上アームを構成するスイッチング装置のエミッタ端子とＡＣ−ＤＣコンバータ４０のＶ相用の下アームを構成するスイッチング装置のコレクタ端子とに連結可能に形成されている。
【０１６９】
具体的には、第６のバスバー層２８２には、２つの第１３の端子形成部２８３が形成されている。これら２つの第１３の端子形成部２８３は、第２９の端子１４９と、第３０の端子１５０との位置に合わせて配置されている。第１３の端子形成部２８３は、第１の直線方向Ｖ１に直交する板形状であって、上下方向Ｖ３に延びている。
【０１７０】
端子１４９，１５０の位置に設けられる一対の第１３の端子形成部２８３は、第１３の連結部２８４によって、第６のバスバー層２８２に連結されている。第１３の連結部２８４は、第６のバスバー層２８２の下端に連結されており、第６のバスバー層２８２に対して第３の収容空間１１７側に突出している。
【０１７１】
第１３の連結部２８４は、上下方向Ｖ３に直交する板形状である。第１３の連結部２８４の第１の直線方向Ｖ１の両端に、第１３の端子形成部２８３が連結されている。これら一対の第１３の端子形成部２８３の第３の収容空間１１７内に出る部分が、端子１４９，１５０となる。
【０１７２】
このように構成されるジェネレータＶ相バスバー２８０は、例えば一枚の金属製の板部材に折り曲げ加工を施すことによって構成される。
【０１７３】
ジェネレータＷ相バスバー２９０は、図７に示すように、第３の側部１１１ｃ内に収容されるジェネレータＷ相連結バスバー２９１と、第２の側部１１１ｂ内に収容されてジェネレータＷ相連結バスバー２９１に連結されるジェネレータＷ相バスバー層（第３の上下アーム形成バスバー層）２９２と、を有している。
【０１７４】
ジェネレータＷ相連結バスバー２９１は、ジェネレータ７のＷ相端子７ｃに接続される端子２９１ａが形成されている。端子２９１ａは、第３の側部１１１ｃから外側に出ている。
【０１７５】
ジェネレータＷ相バスバー層２９２は、第１３の平面Ｐ１３に沿って延びている。ジェネレータＷ相バスバー層２９２は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１７６】
ジェネレータＷ相バスバー層２９２は、ＡＣ−ＤＣコンバータ４０のＷ相用の上アームを構成するスイッチング装置のエミッタ端子とＡＣ−ＤＣコンバータ４０のＷ相用の下アームを構成するスイッチング装置のコレクタ端子とに連結可能に形成されている。
【０１７７】
具体的には、ジェネレータＷ相バスバー層２９２には、２つの第１４の端子形成部２９３が形成されている。これら２つの第１４の端子形成部２９３は、第４７の端子１６７と、第４８の端子１６８との位置に合わせて配置されている。第１４の端子形成部２９３は、第１の直線方向Ｖ１に直交する板形状であって、上下方向Ｖ３に延びている。
【０１７８】
端子１６７，１６８の位置に設けられる一対の第１４の端子形成部２９３は、第１４の連結部２９４によって、ジェネレータＷ相バスバー層２９２に連結されている。第１４の連結部２９４は、ジェネレータＷ相バスバー層２９２の下端に連結されており、ジェネレータＷ相バスバー層２９２に対して第４の収容空間１１８側に突出している。
【０１７９】
第１４の連結部２９４は、上下方向Ｖ３に直交する板形状である。第１４の連結部２９４の第１の直線方向Ｖ１の両端に、第１４の端子形成部２９３が連結されている。これら一対の第１４の端子形成部２９３の第４の収容空間１１８内に出る部分が、端子１６７，１６８となる。
【０１８０】
このように構成されるジェネレータＷ相バスバー２９０は、例えば一枚の板部材に折り曲げ加工を施すことによって構成される。
【０１８１】
上下アーム構成バスバー３２０は、第３の側部１１１ｃ内に収容される連結バスバー３２１と、第１の側部１１１ａ内に収容されて連結バスバー３２１に連結される第８のバスバー層３２２と、を有している。
【０１８２】
連結バスバー３２１は、後術される電池正極バスバー３００に連結される端子３２１ａを有している。端子３２１ａは、第３の側部１１１ｃから外側に出ている。
【０１８３】
ここで、第１の側部１１１ａ内に第１５の平面Ｐ１５を設定する。なお、第１５の平面Ｐ１５は、実際に存在するものではなく、仮想平面である。第１５の平面Ｐ１５は、第１の側部１１１ａの第１の区画梁１１２側の側面の近傍に設定されており、第２の直線方向Ｖ２に直交する平面である。
【０１８４】
上下アーム構成バスバー３２０の説明に戻る。第８のバスバー層３２２は、第４７の端子１６７の近傍からジェネレータＷ相連結バスバー２９１まで第１５の平面Ｐ１５に沿って延びている。
【０１８５】
第８のバスバー層３２２は、板形状であって、一例として上下方向Ｖ３の幅が略一定であり、一例として第２の直線方向Ｖ２の厚みが一定である。上下方向Ｖ３の幅は、第２の直線方向Ｖ２の厚みに対して大きい。
【０１８６】
第８のバスバー層３２２は、ＤＣ−ＤＣコンバータ２０の上アームを構成するスイッチング装置のエミッタ端子とＤＣ−ＤＣコンバータ２０の下アームを構成するスイッチング装置のコレクタ端子とに連結可能に形成されている。
【０１８７】
具体的には、第８のバスバー層３２２には、６個の第１５の端子形成部３２３が形成されている。これら６個の第１５の端子形成部３２３は、第１の端子１２１と、第２の端子１２２と、第３の端子１２３と、第４の端子１２４と、第５の端子１２５と、第６の端子１２６との位置に合わせて配置されている。第１５の端子形成部３２３は、第１の直線方向Ｖ１に直交する板形状であって、上下方向Ｖ３に延びている。
【０１８８】
端子１２１，１２２の位置に設けられる一対の第１５の端子形成部３２３は、第１５の連結部３２４によって、第８のバスバー層３２２に連結されている。第１５の連結部３２４は、第８のバスバー層３２２の端子１２１，１２２の間の部分の下端に連結されており、第８のバスバー層３２２に対して第１の収容空間１１５側に突出している。
【０１８９】
第１５の連結部３２４は、上下方向Ｖ３に直交する板形状である。第１５の連結部３２４の第１の直線方向Ｖ１の両端に、第１５の端子形成部３２３が連結されている。これら一対の第１５の端子形成部３２３の第１の収容空間１１５内に出る部分が、端子１２１，１２２となる。
【０１９０】
端子１２３，１２４の位置に設けられる一対の第１５の端子形成部３２３は、第１６の連結部３２５によって、第８のバスバー層３２２に連結されている。第１６の連結部３２５は、第８のバスバー層３２２の端子１２３，１２４の間の部分の下端に連結されており、第８のバスバー層３２２に対して第１の収容空間１１５側に突出している。
【０１９１】
第１６の連結部３２５は、上下方向Ｖ３に直交する板形状である。第１６の連結部３２５の第１の直線方向Ｖ１の両端に、第１５の端子形成部３２３が連結されている。これら一対の第１５の端子形成部３２３の第１の収容空間１１５内に出る部分が、端子１２３，１２４となる。
【０１９２】
端子１２５，１２６の位置に設けられる一対の第１５の端子形成部３２３は、第１７の連結部３２６によって、第８のバスバー層３２２に連結されている。第１７の連結部３２６は、第８のバスバー層３２２の端子１２５，１２６の間の部分の下端に連結されており、第８のバスバー層３２２に対して第１の収容空間１１５側に突出している。
【０１９３】
第１７の連結部３２６は、上下方向Ｖ３に直交する板形状である。第１７の連結部３２６の第１の直線方向Ｖ１の両端に、第１５の端子形成部３２３が連結されている。これら一対の第１５の端子形成部３２３の第１の収容空間１１５内に出る部分が、端子１２５，１２６となる。
【０１９４】
このように構成される上下アーム構成バスバー３２０は、例えば一枚の板部材に折り曲げ加工を施すことによって構成される。
【０１９５】
電池正極バスバー３００は、電池５の正極と連結バスバー３２１とに接続可能に形成され、第１の側部１１１ａ内と、第１の側部１１１ａと第４の側部１１１ｄとが連結される外枠１１１の角部の内とに収容されている。電池負極バスバー３１０は、電池５の負極とエミッタバスバー２２０とに接続可能に形成され、第１の側部１１１ａ内と第３の側部１１１ｃ内に収容されている。
【０１９６】
なお、電池正極バスバー３００は、図１に示すように、配線手段３３０を介して、上下アーム構成バスバー３２０に接続される。モータＵ相バスバー２４０とモータＶ相バスバー２５０とモータＷ相バスバー２６０とは、配線手段３４０を介して、電動モータ６の相端子６ａ〜６ｃに接続されている。同様に、ジェネレータＵ相バスバー２７０とジェネレータＶ相バスバー２８０とジェネレータＷ相バスバー２９０とは、ジェネレータ７の相端子７ａ〜７ｃとに、配線手段３５０を介して電気的に接続されている。
【０１９７】
スイッチング装置は、本実施形態では一例として２４個用いられている。これらスイッチング装置に、順番に、１７１〜１９４の符号を付す。各スイッチング装置は、互いに同じ構造である。スイッチング装置は、所謂両面放熱型及び垂直実装方として、構成されている。スイッチング装置は、収容空間１１５，１１６，１１７，１１８内に、６個ずつ収容されている。
【０１９８】
図１２は、第１のスイッチング装置１７１を示す斜視図である。スイッチング装置について、第１のスイッチング装置１７１を代表して説明する。なお、スイッチング装置１７２〜１９４において第１のスイッチング装置１７１と同じ機能を有する部分には、同一の符号を付す。
【０１９９】
図１２に示すように、第１のスイッチング装置１７１は、モールド樹脂体６８と、モールド樹脂体６８内に収容されるパワー半導体素子であるＩＧＢＴ（insulated gate bipolar transistor）素子及びＦＷＤ（Free Wheeling Diode ）と、これらパワー半導体素子に接続されるコレクタ端子６１と、エミッタ端子６２と、信号端子６４と、を有しており、スイッチング可能に構成されている。ＩＧＢＴとＦＷＤとは、並列接続されている。
【０２００】
モールド樹脂体６８は、直方体形状である。モールド樹脂体６８の長手方向に１つの側面は、受熱面１０１上に設置される設置面７１となる。コレクタ端子６１はモールド樹脂体６８の短手方向に沿う一方の側面７２から外側に突出している。コレクタ端子６１は、短手方向に平行な板形状に形成されている。エミッタ端子６２は、モールド樹脂体６８の短手方向に沿う他方の側面７３から外側に突出している。エミッタ端子６２は、短手方向に平行な板形状に形成されている。信号端子６４は、設置面７１に対向する長手方向に沿う面から外側に突出している。
【０２０１】
次に、上述した、ＤＣ−ＤＣコンバータ２０と、インバータ３０と、ＡＣ−ＤＣコンバータ４０と、を説明する。
【０２０２】
ＤＣ−ＤＣコンバータ２０は、図１に示すように、第１のスイッチング装置１７１と、第２のスイッチング装置１７２と、第３のスイッチング装置１７３と、第４のスイッチング装置１７４と、第５のスイッチング装置１７５と、第６のスイッチング装置１７６と、入力コンデンサ２１と、リアクトル２２と、平滑コンデンサ３１を有しており、これらが、上述したバスバー１２０によって接続されることによって、構成されている。
【０２０３】
第１のスイッチング装置１７１は、上アームを構成している。第４のスイッチング装置１７４は、下アームを構成している。スイッチング装置１７１，１７４は、直列接続されることによって、上下アーム４０１ａを構成している。
【０２０４】
第２のスイッチング装置１７２は、上アームを構成している。第５のスイッチング装置１７５は、下アームを構成している。スイッチング装置１７２，１７５が直列接続されることによって、上下アーム４０１ｂを構成している。
【０２０５】
第３のスイッチング装置１７３は、上アームを構成している。第６のスイッチング装置１７６は、下アームを構成している。スイッチング装置１７３，１７６が直列接続されることによって、上下アーム４０１ｃを構成している。上下アーム４０１ａ，４０１ｂ，４０１ｃは、互いに並列に接続される。
【０２０６】
ＤＣ−ＤＣコンバータ２０は、電池５から供給される直流電力を、入力コンデンサ２１とリアクトル２２を通してスイッチング装置１７１〜１７６で昇圧して、平滑コンデンサ３１に印加する。
【０２０７】
ＤＣ−ＤＣコンバータ２０を構成するスイッチング装置１７１〜１７６の、受熱面１０１上での配置について説明する。スイッチング装置１７１〜１７６は、図２，３に示すように、第１の収容空間１１５内に収容される。
【０２０８】
第１のスイッチング装置１７１は、第１の収容空間１１５の第４の側部１１１ｄ側の一端に、設置面７１を受熱面１０１に面接触させた状態で、エミッタ端子６２が第１の側部１１１ａ側に位置し、かつ、コレクタ端子６１が第１の区画梁１１２側に位置するように配置されている。設置面７１は、受熱面１０１に接着剤によって固定されている。
【０２０９】
エミッタ端子６２と第１の端子１２１とは、第１の直線方向Ｖ１に直交する平面どうしを例えば面接触させてその平面の上端部が互いに溶接されることによって固定されている。コレクタ端子６１と第７の端子１２７とは、第１の直線方向Ｖ１に直交する平面どうしを例えば面接触させてその平面の上端部を互いに溶接することによって固定されている。
【０２１０】
第４のスイッチング装置１７４は、第１のスイッチング装置１７１に第１の直線方向Ｖ１に隣接する位置に、設置面７１を受熱面１０１に面接触させた状態で、コレクタ端子６１が第１の側部１１１ａ側に位置し、かつ、エミッタ端子６２が第１の区画梁１１２側に位置するように配置されている。設置面７１は、受熱面１０１に接着剤によって固定されている。
【０２１１】
コレクタ端子６１と第２の端子１２２とは、第１の直線方向Ｖ１に直交する平面どうしを例えば面接触させてその平面の上端部を互いに溶接することによって固定されている。エミッタ端子６２と第１２の端子１３２とは、第１の直線方向Ｖ１に直交する平面どうしを例えば面接触させてその平面の上端部を互いに溶接することによって固定されている。
【０２１２】
第２のスイッチング装置１７２は、第４のスイッチング装置１７４に対して第１の直線方向Ｖ１に隣接する位置に、設置面７１を受熱面１０１に面接触させた状態で、エミッタ端子６２が第１の側部１１１ａ側に位置し、かつ、コレクタ端子６１が第１の区画梁１１２側に位置するように配置されている。設置面７１は、受熱面１０１に接着剤によって固定されている。
【０２１３】
エミッタ端子６２の第１の直線方向Ｖ１に直交する平面は、第３の端子１２３の第１の直線方向Ｖ１に直交する平面に面接触し、コレクタ端子６１の第１の直線方向Ｖ１に直交する平面は、第９の端子１２９の第１の直線方向Ｖ１に直交する平面に面接触している。
【０２１４】
第５のスイッチング装置１７５は、第３のスイッチング装置１７３に対して第１の直線方向Ｖ１に隣接する位置に、設置面７１を受熱面１０１に面接触させた状態で、エミッタ端子６２が第１の区画梁１１２側に位置し、かつ、コレクタ端子６１が第１の側部１１１ａ側に位置するように配置されている。
【０２１５】
エミッタ端子６２と第１０の端子１３０とは、第１の直線方向Ｖ１に直交する平面どうしを例えば面接触させてその平面の上端部を互いに溶接することによって固定されている。コレクタ端子６１と第４の端子１２４とは、第１の直線方向Ｖ１に直交する平面どうしを例えば面接触させてその平面の上端部を互いに溶接することによって固定されている。
【０２１６】
第３のスイッチング装置１７３は、第５のスイッチング装置１７５に対して第１の直線方向Ｖ１に隣接する位置に、設置面７１を受熱面１０１に面接触させた状態で、コレクタ端子６１が第１の区画梁１１２側に位置し、かつ、エミッタ端子６２が第１の側部１１１ａ側に位置するように配置されている。設置面７１は、接着剤によって受熱面１０１に固定されている。
【０２１７】
コレクタ端子６１と第１１の端子１３１とは、第１の直線方向Ｖ１に直交する平面どうしを例えば面接触させてその平面の上端部を互いに溶接することによって固定されている。エミッタ端子６２と第５の端子１２５とは、第１の直線方向Ｖ１に直交する平面どうしを例えば面接触させてその平面の上端部を互いに溶接することによって固定されている。
【０２１８】
第６のスイッチング装置１７６は、第３のスイッチング装置１７３に対して第１の直線方向Ｖ１に隣接する位置に、設置面７１を受熱面１０１に面接触させた状態で、エミッタ端子６２が第１の区画梁１１２側に位置し、かつ、コレクタ端子６１が第１の側部１１１ａ側に位置するように配置されている。設置面７１は、受熱面１０１に接着剤によって固定されている。
【０２１９】
エミッタ端子６２と第１２の端子１３２とは、第１の直線方向Ｖ１に直交する平面どうしを例えば面接触させてその平面の上端部を互いに溶接することによって固定されている。コレクタ端子６１と第６の端子１２６とは、第１の直線方向Ｖ１に直交する平面どうしを例えば面接触させてその平面の上端部を互いに溶接することによって固定されている。
【０２２０】
このように、スイッチング装置１７１，１７２，１７３のエミッタ端子６２とスイッチング装置１７４，１７５，１７６のコレクタ端子６１は、上下アーム構成バスバー３２０に電気的に接続されることによって、互いに電気的に接続される。スイッチング装置１７１，１７２、１７３のコレクタ端子６１は、コレクタバスバー２００に電気的に接続される。スイッチング装置１７４，１７５，１７６のエミッタ端子６２は、エミッタバスバー２２０に電気的に接続される。
【０２２１】
次に、インバータ３０について説明する。インバータ３０は、図１に示すように、スイッチング装置１７７〜１８８を有しており、これらスイッチング装置１７７〜１８８が、バスバー１２０によって電気的に接続されることによって、構成されている。
【０２２２】
第７のスイッチング装置１７７と、第８のスイッチング装置１７８と、第９のスイッチング装置１７９と、第１０のスイッチング装置１８０とは、電動モータ６のＵ相端子６ａに接続されるＵ相上下アーム４０４を構成する。
【０２２３】
第７のスイッチング装置１７７は、Ｕ相上アームを構成している。第９のスイッチング装置１７９は、Ｕ相下アームを構成している。スイッチング装置１７７，１７９が直列接続されることによって、Ｕ相上下アーム４０４が構成されている。
【０２２４】
同様に、第８のスイッチング装置１７８は、Ｕ相上アームを構成している。第１０のスイッチング装置１８０は、Ｕ相下アームを構成している。第８のスイッチング装置１７８と第１０のスイッチング装置１８０とが直列接続されることによって、Ｕ相上下アーム４０４が構成されている。これら２つのＵ相上下アーム４０４は、コレクタバスバー２００とエミッタバスバー２２０とに並列接続されている。
【０２２５】
第１１のスイッチング装置１８１と、第１２のスイッチング装置１８２と、第１３のスイッチング装置１８３と、第１４のスイッチング装置１８４とは、電動モータ６のＶ相端子６ｂに接続されるＶ相上下アーム４０５を構成している。
【０２２６】
第１１のスイッチング装置１８１は、Ｖ相上アームを構成している。第１３のスイッチング装置の１８３は、Ｖ相下アームを構成している。スイッチング装置１８１，１８３が直列接続されることによって、Ｖ相上下アーム４０５が構成されている。
【０２２７】
第１２のスイッチング装置１８２は、Ｖ相上アームを構成している。第１４のスイッチング装置１８４は、Ｖ相下アームを構成している。第１２のスイッチング装置１８２と第１４のスイッチング装置１８４とが直列接続されることによって、Ｖ相上下アーム４０５が構成されている。これら２つのＶ相上下アーム４０５は、コレクタバスバー２００とエミッタバスバー２２０とに並列接続されている。
【０２２８】
第１５のスイッチング装置１８５と、第１６のスイッチング装置１８６と、第１７のスイッチング装置１８７と、第１８のスイッチング装置１８８とは、電動モータ６のＷ相端子６ｃに接続されるＷ相上下アームを構成している。
【０２２９】
第１５のスイッチング装置１８５は、Ｗ相上アームを構成している。第１７のスイッチング装置１８７は、Ｗ相下アームを構成している。スイッチング装置１８５，１８７が直列接続されることによって、Ｗ相上下アーム４０６が構成されている。
【０２３０】
第１６のスイッチング装置１８６は、Ｗ相上アームを構成している。第１８のスイッチング装置１８８は、Ｗ相下アームを構成している。スイッチング装置１８６，１８８が直列接続されることによって、Ｗ相上下アーム４０６が構成されている。これら２つのＷ相上下アーム４０６は、並列接続される。上下アーム４０４〜４０６は、互いに並列に接続されている。
【０２３１】
次に、インバータ３０を構成するスイッチング装置１７７〜１８８の受熱面１０１上の配置について、説明する。
【０２３２】
Ｕ相上下アーム４０４を構成するスイッチング装置１７７〜１８０は、第２の収容空間１１６内に収容されている。第７のスイッチング装置１７７は、第２の収容空間１１６の第１の直線方向Ｖ１に第４の側部１１１ｄ側の一端に、設置面７１を受熱面１０１に面接触させた状態で、コレクタ端子６１が第１の区画梁１１２側に位置し、かつ、エミッタ端子６２が第２の区画梁１１３側に位置するように配置されている。設置面７１は、受熱面１０１に接着剤によって固定されている。
【０２３３】
コレクタ端子６１と第１３の端子１３３とは、第１の直線方向Ｖ１に直交する平面どうしを例えば面接触させてその平面の上端部を互いに溶接することによって固定されている。エミッタ端子６２と第１９の端子１３９とは、第１の直線方向Ｖ１に直交する平面どうしを例えば面接触させてその平面の上端部を互いに溶接することによって固定されている。
【０２３４】
第９のスイッチング装置１７９は、第７のスイッチング装置１７７に対して第１の直線方向Ｖ１に隣接する位置に、設置面７１を受熱面１０１に面接触させた状態で、エミッタ端子６２が第１の区画梁１１２側に位置し、かつ、コレクタ端子６１が第２の区画梁１１３側に位置するように配置されている。設置面７１は、受熱面１０１に接着剤によって固定されている。
【０２３５】
エミッタ端子６２１と第１４の端子１３４とは、第１の直線方向Ｖ１に直交する平面どうしを例えば面接触させてその平面の上端部を互いに溶接することによって固定されている。コレクタ端子６１と第２０の端子１４０とは、第１の直線方向Ｖ１に直交する平面どうしを例えば面接触させてその平面の上端部を互いに溶接することによって固定されている。
【０２３６】
第１０のスイッチング装置１８０は、第９のスイッチング装置１７９に対して第１の直線方向Ｖ１に隣接する位置に、設置面７１を受熱面１０１に面接触させた状態で、エミッタ端子６２が第１の区画梁１１２側に位置し、コレクタ端子６１が第２の区画梁１１３側に位置するように配置されている。設置面７１は、受熱面１０１に接着剤によって固定去れている。
【０２３７】
エミッタ端子６２と第１５の端子１３５とは、第１の直線方向Ｖ１に直交する平面どうしを例えば面接触させてその平面の上端部を互いに溶接することによって固定されている。コレクタ端子６１と第２１の端子１４１とは、第１の直線方向Ｖ１に直交する平面どうしを例えば面接触させてその平面の上端部を互いに溶接することによって固定されている。
【０２３８】
第８のスイッチング装置１７８は、第１０のスイッチング装置１８０に対して第１の直線方向Ｖ１に隣接する位置に、設置面７１を受熱面１０１に面接触させた状態で、コレクタ端子６１が第１の区画梁１１２側に位置し、かつ、エミッタ端子６２が第２の区画梁１１３側に位置するように配置されている。設置面７１は、受熱面１０１に接着剤によって固定されている。
【０２３９】
コレクタ端子６１と第１６の端子１３６とは、第１の直線方向Ｖ１に直交する平面どうしを例えば面接触させてその平面の上端部を互いに溶接することによって固定されている。エミッタ端子６２と第２２の端子１４２とは、第１の直線方向Ｖ１に直交する平面どうしを例えば面接触させてその平面の上端部を互いに溶接することによって固定されている。
【０２４０】
このように、Ｕ相上アームを構成するスイッチング装置１７７，１７８は、コレクタ端子６１がコレクタバスバー２００に電気的に接続され、エミッタ端子６２がモータＵ相バスバー２４０に電気的に接続される。Ｕ相下アームを構成するスイッチング装置１７９，１８０は、コレクタ端子６１がモータＵ相バスバー２４０に電気的に接続され、エミッタ端子６２がエミッタバスバー２２０に電気的に接続される。
【０２４１】
Ｖ相上下アーム４０５を構成するスイッチング装置１８１〜１８４は、第３の収容空間１１７内に収容されている。第１１のスイッチング装置１８１は、第３の収容空間１１７の第１の直線方向Ｖ１の第４の側部１１１ｄ側の一端に、設置面７１を受熱面１０１に面接触させた状態で、コレクタ端子６１が第３の区画梁１１４側に位置し、エミッタ端子６２が第２の区画梁１１３側に位置するように配置されている。設置面７１は、受熱面１０１に接着剤によって固定されている。
【０２４２】
コレクタ端子６１と第３１の端子１５１とは、第１の直線方向Ｖ１に直交する平面どうしを例えば面接触させてその平面の上端部を互いに溶接することによって固定されている。エミッタ端子６２と第２５の端子１４５とは、第１の直線方向Ｖ１に直交する平面どうしを例えば面接触させてその平面の上端部を互いに溶接することによって固定されている。
【０２４３】
第１３のスイッチング装置１８３は、第１１のスイッチング装置１８１に対して第１の直線方向Ｖ１に隣接する位置に、設置面７１を受熱面１０１に面接触させた状態で、エミッタ端子６２第３の区画梁１１４側に位置し、かつ、コレクタ端子６１が第２の区画梁１１３側に位置するように配置されている。設置面７１は、受熱面１０１に接着剤によって固定されている。
【０２４４】
エミッタ端子６２１と第３２の端子１５２とは、第１の直線方向Ｖ１に直交する平面どうしを例えば面接触させてその平面の上端部を互いに溶接することによって固定されている。コレクタ端子６１と第２６の端子１４６とは、第１の直線方向Ｖ１に直交する平面どうしを例えば面接触させてその平面の上端部を互いに溶接することによって固定されている。
【０２４５】
第１４のスイッチング装置１８４は、第１３のスイッチング装置１８３に対して第１の直線方向Ｖ１に隣接する位置に、設置面７１を受熱面１０１に面接触させた状態で、エミッタ端子６２が第３の区画梁１１４側に位置し、かつ、コレクタ端子６１が第２の区画梁１１３側に位置するように配置されている。設置面７１は、受熱面１０１に接着剤によって固定されている。
【０２４６】
エミッタ端子６２と第３３の端子１５３とは、第１の直線方向Ｖ１に直交する平面どうしを例えば面接触させてその平面の上端部を互いに溶接することによって固定されている。コレクタ端子６１と第２７の端子１４７とは、第１の直線方向Ｖ１に直交する平面どうしを例えば面接触させてその平面の上端部を互いに溶接することによって固定されている。
【０２４７】
第１２のスイッチング装置１８２は、第１４のスイッチング装置１８４に第１の直線方向Ｖ１に隣接する位置に、設置面７１を受熱面１０１に面接触させた状態で、コレクタ端子６１が第３の区画梁１１４側に位置し、かつ、エミッタ端子６２が第２の区画梁１１３側に位置するように配置されている。設置面７１は、受熱面１０１に接着剤によって固定されている。
【０２４８】
コレクタ端子６１と第３４の端子１５４とは、第１の直線方向Ｖ１に直交する平面どうしを例えば面接触させてその平面の上端部を互いに溶接することによって固定されている。エミッタ端子６２と第２８の端子１４８とは、第１の直線方向Ｖ１に直交する平面どうしを例えば面接触させてその平面の上端部を互いに溶接することによって固定されている。
【０２４９】
このように、Ｖ相上アームを構成するスイッチング装置１８１，１８２は、コレクタ端子６１がコレクタバスバー２００に電気的に接続され、エミッタ端子６２がモータＶ相バスバー２５０に電気的に接続される。Ｖ相下アームを構成するスイッチング装置１８３，１８４は、コレクタ端子６１がモータＶ相バスバー２５０に電気的に接続され、エミッタ端子６２がエミッタバスバー２２０に電気的に接続される。
【０２５０】
Ｗ相上下アーム４０６を構成するスイッチング装置１８５〜１８８は、第４の収容空間１１８内に収容されている。第１５のスイッチング装置１８５は、第４の収容空間１１８の第１の直線方向Ｖ１に第４の側部１１１ｄ側の一端に、設置面７１を受熱面１０１に面接触させた状態で、コレクタ端子６１が第３の区画梁１１４側に位置し、かつ、エミッタ端子６２が第２の側部１１１ｂ側に位置するように配置されている。設置面７１は、受熱面１０１に接着剤によって固定されている。
【０２５１】
コレクタ端子６１と第３７の端子１５７とは、第１の直線方向Ｖ１に直交する平面どうしを例えば面接触させてその平面の上端部を互いに溶接することによって固定されている。エミッタ端子６２と第４３の端子１６３とは、第１の直線方向Ｖ１に直交する平面どうしを例えば面接触させてその平面の上端部を互いに溶接することによって固定されている。
【０２５２】
第１７のスイッチング装置１８７は、第１５のスイッチング装置１８５に対して第１の直線方向Ｖ１に隣接する位置に、設置面７１を受熱面１０１に面接触させた状態で、エミッタ端子６２が第３の区画梁１１４側に位置し、かつ、コレクタ端子６１が第２の側部１１１ｂ側に位置するように配置されている。設置面７１は、受熱面１０１に接着剤によって固定されている。
【０２５３】
エミッタ端子６２と第３８の端子１５８とは、第１の直線方向Ｖ１に直交する平面どうしを例えば面接触させてその平面の上端部を互いに溶接することによって固定されている。コレクタ端子６１と第４４の端子１６４とは、第１の直線方向Ｖ１に直交する平面どうしを例えば面接触させてその平面の上端部を互いに溶接することによって固定されている。
【０２５４】
第１８のスイッチング装置１８８は、第１７のスイッチング装置１８７に対して第１の直線方向Ｖ１に隣接する位置に、設置面７１を受熱面１０１に面接触させた状態で、エミッタ端子６２が第３の区画梁１１４側に位置し、かつ、コレクタ端子６１が第２の側部１１１ｂ側に位置するように配置されている。設置面７１は、受熱面１０１に接着剤によって固定されている。
【０２５５】
エミッタ端子６２と第３９の端子１５９とは、第１の直線方向Ｖ１に直交する平面どうしを例えば面接触させてその平面の上端部を互いに溶接することによって固定されている。コレクタ端子６１と第４５の端子１６５とは、第１の直線方向Ｖ１に直交する平面どうしを例えば面接触させてその平面の上端部を互いに溶接することによって固定されている。
【０２５６】
第１６のスイッチング装置１８６は、第１８のスイッチング装置１８８に対して第１の直線方向Ｖ１に隣接する位置に、設置面７１を受熱面１０１に面接触させた状態で、コレクタ端子６１が第３の区画梁１１４側に位置し、かつ、エミッタ端子６２が第２の側部１１１ｂ側に位置するように配置されている。設置面７１は、受熱面１０１に接着剤によって固定されている。
【０２５７】
コレクタ端子６１と第４０の端子１６０とは、第１の直線方向Ｖ１に直交する平面どうしを例えば面接触させてその平面の上端部を互いに溶接することによって固定されている。エミッタ端子６２と第４６の端子１６６とは、第１の直線方向Ｖ１に直交する平面どうしを例えば面接触させてその平面の上端部を互いに溶接することによって固定されている。
【０２５８】
このように、Ｗ相上アームを構成するスイッチング装置１８５，１８６は、コレクタ端子６１がコレクタバスバー２００に電気的に接続され、エミッタ端子６２がモータＷ相バスバー２６０に電気的に接続される。Ｗ相下アームを構成するスイッチング装置１８７，１８８は、コレクタ端子６１がモータＷ相バスバー２６０に電気的に接続され、エミッタ端子６２がエミッタバスバー２２０に電気的に接続される。
【０２５９】
ＡＣ−ＤＣコンバータ４０は、図１に示すように、スイッチング装置１８９〜１９４を有しており、これら６個のスイッチング装置がバスバー１２０によって接続されることによって、構成されている。
【０２６０】
具体的には、第１９のスイッチング装置１８９は、ジェネレータＵ相上アームを構成している。第２０のスイッチング装置１９０は、ジェネレータＵ相下アームを構成している。スイッチング装置１８９，１９０が直列接続されることによって、ジェネレータＵ相下アーム４０７が構成されている。
【０２６１】
第２１のスイッチング装置１９１はジェネレータＶ相上アームを構成している。第２２のスイッチング装置１９２は、ジェネレータＶ相下アームを構成している。スイッチング装置１９１，１９２が直列接続されることによって、ジェネレータＶ相下アーム４０８が構成されている。
【０２６２】
第２３のスイッチング装置は、ジェネレータＷ相上アームを構成している。第２４のスイッチング装置１９４は、ジェネレータＷ相下アームを構成している。スイッチング装置１９３，１９４が直列接続されることによって、ジェネレータＷ相下アーム４０９が構成されている。
【０２６３】
下アーム４０７〜４０９は、コレクタバスバー２００とエミッタバスバー２２０とに並列に接続されている。
【０２６４】
スイッチング装置１８９〜１９４の受熱面１０１上での配置について、図６を参照して説明する。第２０のスイッチング装置１９０は、第２の収容空間１１６の第１の直線方向Ｖ１の第３の側部１１１ｃ側の一端に、設置面７１を受熱面１０１に面接触させた状態で、エミッタ端子６２１が第１の区画梁１１２側に位置し、かつ、コレクタ端子６１が第２の区画梁１１３側に位置するように配置されている。設置面７１は、受熱面１０１に接着剤によって固定されている。
【０２６５】
エミッタ端子６２と第１８の端子１３８とは、第１の直線方向Ｖ１に直交する平面どうしを例えば面接触させてその平面の上端部を互いに溶接することによって固定されている。コレクタ端子６１と第２４の端子１４４とは、第１の直線方向Ｖ１に直交する平面どうしを例えば面接触させてその平面の上端部を互いに溶接することによって固定されている。
【０２６６】
第１９のスイッチング装置１８９は、第２０のスイッチング装置１９０と第８のスイッチング装置１７８との間に、設置面７１を受熱面１０１に面接触させた状態で、コレクタ端子６１が第１の区画梁１１２側に位置し、かつ、エミッタ端子６２が第２の区画梁１１３側に位置するように配置されている。設置面７１は、受熱面１０１に接着剤によって固定されている。
【０２６７】
コレクタ端子６１と第１７の端子１３７とは、第１の直線方向Ｖ１に直交する平面どうしを例えば面接触させてその平面の上端部を互いに溶接することによって固定されている。エミッタ端子６２と第２３の端子１４３とは、第１の直線方向Ｖ１に直交する平面どうしを例えば面接触させてその平面の上端部を互いに溶接することによって固定されている。
【０２６８】
このように、Ｕ相上アームを構成する第１９のスイッチング装置１８９は、コレクタ端子６１がコレクタバスバー２００に電気的に接続され、エミッタ端子６２がジェネレータＵ相バスバー２７０に電気的に接続される。Ｕ相下アームを構成する第２０のスイッチング装置１９０は、コレクタ端子６１がモータＵ相バスバー２４０に電気的に接続され、エミッタ端子６２がエミッタバスバー２２０に電気的に接続される。
【０２６９】
第２２のスイッチング装置１９２は、第３の収容空間１１７の第１の直線方向Ｖ１に第３の側部１１１ｃ側の一端に、設置面７１を受熱面１０１に面接触させた状態で、コレクタ端子６１が第２の区画梁１１３側に位置し、かつ、エミッタ端子６２が第３の区画梁１１４側に位置するように配置されている。設置面７１は、受熱面１０１に接着剤によって固定されている。
【０２７０】
コレクタ端子６１と第３０の端子１５０とは、第１の直線方向Ｖ１に直交する平面どうしを例えば面接触させてその平面の上端部を互いに溶接することによって固定されている。エミッタ端子６２と第３６の端子１５６とは、第１の直線方向Ｖ１に直交する平面どうしを例えば面接触させてその平面の上端部を互いに溶接することによって固定されている。
【０２７１】
第２１のスイッチング装置１９１は、第２２のスイッチング装置１９２と第１２のスイッチング装置１８２との間に、設置面７１を受熱面１０１に面接触させた状態で、エミッタ端子６２が第２の区画梁１１３側に位置し、かつ、コレクタ端子６１が第３の区画梁１１４側に位置するように配置されている。設置面７１は、受熱面１０１に接着剤によって固定されている。
【０２７２】
エミッタ端子６２と第２９の端子１４９とは、第１の直線方向Ｖ１に直交する平面どうしを例えば面接触させてその平面の上端部を互いに溶接することによって固定されている。コレクタ端子６１と第３５の端子１５５とは、第１の直線方向Ｖ１に直交する平面どうしを例えば面接触させてその平面の上端部を互いに溶接することによって固定されている。
【０２７３】
このように、Ｖ相上アームを構成する第２１のスイッチング装置１９１は、コレクタ端子６１がコレクタバスバー２００に電気的に接続され、エミッタ端子６２がジェネレータＶ相バスバー２８０に電気的に接続される。Ｖ相下アームを構成する第２２のスイッチング装置１９２は、コレクタ端子６１がジェネレータＶ相バスバー２８０に電気的に接続され、エミッタ端子６２がエミッタバスバー２２０に電気的に接続される。
【０２７４】
第２４のスイッチング装置１９４は、第４の収容空間１１８の第１の直線方向Ｖ１に第３の側部１１１ｃ側の一端に、設置面７１を受熱面１０１に面接触させた状態で、エミッタ端子６２が第３の区画梁１１４側に位置し、かつ、コレクタ端子６１が第２の側部１１１ｂ側に位置するように配置されている。設置面７１は、受熱面１０１に接着剤によって固定されている。
【０２７５】
エミッタ端子６２と第４２の端子１６２とは、第１の直線方向Ｖ１に直交する平面どうしを例えば面接触させてその平面の上端部を互いに溶接することによって固定されている。コレクタ端子６１と第４８の端子１６８とは、第１の直線方向Ｖ１に直交する平面どうしを例えば面接触させてその平面の上端部を互いに溶接することによって固定されている。
【０２７６】
第２３のスイッチング装置１９３は、第２４のスイッチング装置１９４と第１６のスイッチング装置１８６との間に、設置面７１を受熱面１０１に面接触させた状態で、コレクタ端子６１が第３の区画梁１１４側に位置し、かつ、エミッタ端子６２が第２の側部１１１ｂ側に位置するように配置されている。設置面７１は、受熱面１０１に接着剤によって固定されている。
【０２７７】
コレクタ端子６１と第４１の端子１６１とは、第１の直線方向Ｖ１に直交する平面どうしを例えば面接触させてその平面の上端部を互いに溶接することによって固定されている。エミッタ端子６２と第４７の端子１６７とは、第１の直線方向Ｖ１に直交する平面どうしを例えば面接触させてその平面の上端部を互いに溶接することによって固定されている。
【０２７８】
このように、Ｗ相上アームを構成する第２３のスイッチング装置１９３は、コレクタ端子６１がコレクタバスバー２００に電気的に接続され、エミッタ端子６２がジェネレータＷ相バスバー２９０に電気的に接続される。Ｗ相下アームを構成する第２４のスイッチング装置１９４は、コレクタ端子６１がジェネレータＷ相バスバー２９０に電気的に接続され、エミッタ端子６２がエミッタバスバー２２０に電気的に接続される。
【０２７９】
第１の収容空間１１５内に収容されるスイッチング装置１７１〜１７６が形成する列と、第２の収容空間１１６内に収容されるスイッチング装置１７７〜１８０，１８９，１９０が形成する列と、第３の収容空間１１７内に収容されるスイッチング装置１８１〜１８４，１９１，１９２が形成する列と、第４の収容空間１１８内に収容されるスイッチング装置１８５〜１８８，１９３，１９４が形成する列とは、互いに平行である。
【０２８０】
また、スイッチング装置１７１〜１９４のうち、各収容空間内において第４の側部１１１ｄから第３の側部１１１ｃに向かって同番目に配置されるスイッチング装置は、互いに第２の直線方向Ｖ２に並んで配置されている。
【０２８１】
例えば、各収容空間１１５〜１１８内に１番目に配置される第１のスイッチング装置１７１と第７のスイッチング装置１７７と第１１のスイッチング装置１８１と第１５のスイッチング装置１８５とは、互いに、第２の直線方向Ｖ２に並んでいる。同様に、２番目に配置されるスイッチング装置は、互いに第２の直線方向Ｖ２に並んでいる。同様に、３番目、４番目、５番目、６番目に配置されるスイッチング装置も同様に、第２の直線方向Ｖ２に並んでいる。
【０２８２】
電力変換装置１０は、図示は省略されているが、スイッチング装置１７１〜１９４と、装置全体の入出力および動作とを制御する制御回路基板を有している。制御回路基板には、上述した、インバータ３０とＡＣ−ＤＣコンバータ４０とを制御する制御装置５２０と、ＤＣ−ＤＣコンバータ２０を制御する制御装置５３０とが組み込まれている。
【０２８３】
制御回路基板は、支持フレーム１１０とほぼ等しい大きさの矩形状に形成されている。制御回路基板は、スイッチング装置１７１〜１９４上に上下方向Ｖ３に重ねて設置されており、ねじ等の固定構造によって支持フレーム１１０に固定される。スイッチング装置１７１〜１９４の信号端子６４は、制御回路基板に電気的に接続されている。
【０２８４】
具体的には、ＤＣ−ＤＣコンバータ２０を構成するスイッチング装置１７１〜１８６の信号端子６４は、制御装置５３０に接続されている。なお、図１では、第３のスイッチング装置１７３の信号端子６４と第６のスイッチング装置１７６の信号端子６４が制御装置５３０に接続されているが、他のスイッチング装置の信号端子６４も同様に制御装置５３０に接続されている。
【０２８５】
また、インバータ３０を構成するスイッチング装置１７７〜１８８の信号端子６４と、ＡＣ−ＤＣコンバータ４０を構成するスイッチング装置１８９〜１９４の信号端子６４は、制御装置５２０に接続されている。なお、図１では、第１６のスイッチング装置１８６の信号端子６４と、第１８のスイッチング装置１８８の信号端子６４と、第２３のスイッチング装置１９３の信号端子６４と、第２４のスイッチング装置１９４の信号端子６４が制御装置５２０に接続されているが、他のスイッチング装置の信号端子６４も同様に制御装置５２０に接続されている。
【０２８６】
電気自動車を走行する場合は、ＤＣ−ＤＣコンバータ２０の各スイッチング装置１７１〜１７６が制御されることによって、電池５から供給される直流電力が昇圧される。そして、インバータ３０の各スイッチング装置１７７〜１８８が制御されることによって、昇圧された直流電力が三相交流電力に電力変換されて電動モータ６に供給される。電動モータ６に電力が供給されることによって、電気自動車が走行する。
【０２８７】
電気自動車の制動時では、ＡＣ−ＤＣコンバータ４０のスイッチング装置１８９〜１９４が制御されることによって、ジェネレータ７が発電した交流電力が直流電力に電力変換されて、電池５に供給される。
【０２８８】
次に、電力変換装置１０の製造工程の一例について説明する。まず、コレクタバスバー２００とエミッタバスバー２２０とを一体に組み合わせる。図１３は、エミッタバスバー２２０がコレクタバスバー２００から分離された状態を示す斜視図である。図１４は、コレクタバスバー２００とエミッタバスバー２２０とが一体に組み合わされた状態を示す平面図である。
【０２８９】
図１３に示すように、エミッタバスバー２２０の第３の連結部２２２ａがコレクタバスバー２００の第１の連結部２０２ａに重なり、かつ、エミッタバスバー２２０の第４の連結部２３０ａがコレクタバスバー２００の第２の連結部２１０ａに重なるように、エミッタバスバー２２０の位置をコレクタバスバー２００に対して合わせる。
【０２９０】
次に、図１４に示すように、エミッタバスバー２２０の第３の連結部２２２ａをコレクタバスバー２００の第１の連結部２０２ａ内に収容し、かつ、エミッタバスバー２２０の第４の連結部２３０ａをコレクタバスバー２００の第２の連結部２１０ａ内に収容する。
【０２９１】
このとき、連結部２０２ａ，２２２ａ間に絶縁物Ｉを挟んで、コレクタバスバー２００とエミッタバスバー２２０とが電気的に接続しないようにする。同様に、連結部２１０ａ，２３０ａ間に絶縁物Ｉを挟んで、コレクタバスバー２００とエミッタバスバー２２０とが電気的に接続しないようにする。
【０２９２】
コレクタバスバー２００とエミッタバスバー２２０とを組み合わせ作業が完了すると、バスバー１２０を、支持フレーム１１０を構成する樹脂でモールドすることによって、支持フレーム１１０とバスバー１２０との一体物を形成する。
【０２９３】
バスバー１２０に樹脂がモールドされることによって、バスバー１２０内の各バスバー間に樹脂が入り込む。このように入り込んだ樹脂によって、各バスバーが互いに絶縁される。
【０２９４】
次に、支持フレーム１１０とバスバー１２０との一体物を、受熱面１０１上に固定する。本実施形態では、一例として、ボルトによって固定されている。
【０２９５】
次に、収容空間１１５，１１６，１１７，１１８内に、スイッチング装置１７１〜１９４を収容し、固定する。本実施形態では、各スイッチング装置１７１〜１９４の設置面７１を接着剤によって固定する。
【０２９６】
各スイッチング装置を収容空間内に設置する際に、コレクタ端子６１と対応する端子とを互いに面接触させ、かつ、エミッタ端子６２と対応する端子とを互いに面接触させる。
【０２９７】
次に、コレクタ端子６１と対応する端子との上端部をチャックし、溶接する。この為、コレクタ端子６１の上端部と対応する端子の上端部とが固定される。同様に、エミッタ端子６２と対応する端子との上端部をチャックし、溶接する。この為、エミッタ端子６２と対応する端子との上端部とが固定される。
【０２９８】
このように構成された電力変換装置１０では、第１のコレクタバスバー層２０２は、第１の端子形成部２０４を有し、第２のコレクタバスバー層２０３は、第２の端子形成部２０７を有し、第３のコレクタバスバー層２１０は、第３の端子形成部２１２を有し、第４のコレクタバスバー層２１１は、第４の端子形成部２１４を有している。
【０２９９】
また、第１のエミッタバスバー層２２２は、第５の端子形成部２２４を有し、第２のエミッタバスバー層２２３は、第６の端子形成部２２７を有し、第３のエミッタバスバー層２３０は、第７の端子形成部２３２を有し、第４のエミッタバスバー層２３１は、第８の端子形成部２３４を有している。
【０３００】
この為、スイッチング装置のコレクタ端子に接続される端子の位置と、スイッチング装置のエミッタ端子に接続される端子の位置とを、自由に決定することができる。
【０３０１】
スイッチング装置のコレクタ端子に接続される端子の位置と、スイッチング装置のエミッタ端子に接続される端子の位置とを、自由に決定することができることによって、収容空間１１５，１１６，１１７，１１８内でのスイッチング装置の配置を自由に決定することができる。
【０３０２】
この為、本実施形態では、上下アームを構成する一対のスイッチング装置どうしを、互いに隣接するように配置している。図１５は、このような配置の一例を示している。図１５は、スイッチング装置１８１，１８３，１８４，１８２を示す概略図である。
【０３０３】
図１５に示すように、上アームを構成する第１１のスイッチング装置１８１と、下アームを構成する第１３のスイッチング装置１８３とは、互いに隣接して配置されている。そして、スイッチング装置１８１，１８３は、上下アーム４０４を構成している。また、上アームを構成する第１２のスイッチング装置１８２と、下アームを構成する第１４のスイッチング装置１８４とは、互いに隣接して配置されている。そして、スイッチング装置１８２，１８４は、上下アーム４０４を構成している。
【０３０４】
このように、上下アームを構成する一対のスイッチング装置を互いに隣接配置することによって、電流経路の削減によるインダクタンス低減効果と、近接効果によるインダクタンス低減効果と、を得ることができる。
【０３０５】
この点について具体的に説明する。まず、電流経路の削減によるインダクタンス低減効果について説明する。図１６は、上下アームを構成する一対のスイッチング装置が互いに隣接して配置されていない配置構造を示す図である。図１６では、一例として、スイッチング装置１８１，１８２，１８３，１８４の順番で並んでいる。
【０３０６】
図１６に示す配置構造では、互いに接続するべき、第１１のスイッチング装置１８１のエミッタ端子６２と第１３のスイッチング装置１８３のコレクタ端子６１との間に、第１２のスイッチング装置１８２のエミッタ端子６２が配置される。
【０３０７】
また、同様に、互いに接続するべき、第１２のスイッチング装置１８２のエミッタ端子６２と第１４のスイッチング装置１８４のコレクタ端子６１との間に、第１３のスイッチング装置１８３のコレクタ端子６１が配置される。
【０３０８】
この為、図１６に示すように、上アームを構成する第１１のスイッチング装置１８１のエミッタ端子６２と、下アームを構成する第１３のスイッチング装置１８３のコレクタ端子６１とを接続し、かつ、上アームを構成する第１２のスイッチング装置１８２のエミッタ端子６２と、下アームを構成する第１４のスイッチング装置１８４とを接続する為に、第１１のスイッチング装置１８１のエミッタ端子６２と第１４のスイッチング装置１８４のコレクタ端子６１とを接続する電流経路を形成する必要がある。そして、この電流経路に、第１２のスイッチング装置１８２のエミッタ端子６２と第１３のスイッチング装置１８３のコレクタ端子６１とを接続する。
【０３０９】
これに対して図１５に示すように、上下アームを構成する一対のスイッチング装置を互いに隣接配置することによって、互いに接続するべき、コレクタ端子６１とエミッタ端子６２とが互いに隣接配置される。
【０３１０】
具体的には、第１１のスイッチング装置１８１のエミッタ端子６２と第１３のスイッチング装置１８３のコレクタ端子６１とは、隣接配置される。同様に、第１２のスイッチング装置１８２のエミッタ端子６２と第１４のスイッチング装置１８４のコレクタ端子６１とは、隣接配置される。
【０３１１】
この為、第１１のスイッチング装置１８１のエミッタ端子６２と第１３のスイッチング装置１８３のコレクタ端子６１とを接続し、第１２のスイッチング装置１８２のエミッタ端子６２と第１４のスイッチング装置１８４のコレクタ端子６１とを接続すればよい。
【０３１２】
このように、図１５に示される配線構造の電流経路は、図１６に示される配線構造の電流経路と比較すると、図１６に示される第１２のスイッチング装置１８２のエミッタ端子６２と第１３のスイッチング装置１８３のコレクタ端子６１とを接続する電流経路分短くなる。
【０３１３】
このように、上下アームを構成する一対のスイッチング装置を隣接配置することによって、電流経路を短くすることができる。電流経路を短くすることによって、インダクタンスを小さくすることができる。
【０３１４】
次に、近接配置によるインダクタンス低減効果について説明する。本実施形態のように（図１５に示すように）、上下アームを構成する一対のスイッチング装置を隣接配置することによって、上下アームが２つ以上ある場合では、コレクタバスバー層は、スイッチング装置が並ぶ列の一端に配置される上アームを構成するスイッチング装置のコレクタ端子６１と、スイッチング装置が並ぶ列の他端に配置される上アームを構成するスイッチング装置のコレクタ端子６１を連結する長さか必要となる。
【０３１５】
同様に、エミッタバスバー層は、並ぶ列の一端に配置される下アームを構成するスイッチング装置のエミッタ端子６２と、並ぶ列の他端に配置される下アームを構成するスイッチング装置のエミッタ端子６２とを連結する長さが必要となる。
【０３１６】
この為、コレクタバスバー層とエミッタバスバー層との互いに対向する部分の長さが長くなるので、コレクタバスバー層とエミッタバスバー層との近接配置により、インダクタンスを低減することができる。
【０３１７】
これに対して図１６に示すように、上アームを構成するスイッチング装置どうしが隣接配置し、下アームを構成するスイッチング装置どうしが隣接配置されることによって、コレクタバスバー層の長さが短くなる。この為、エミッタバスバー層とコレクタバスバー層との互いに対向する部分の長さが短くなる。
【０３１８】
さらに、上下アームを構成する一対のスイッチング装置を隣接配置できることによって、
同極となる一対の端子が隣接配置される組み合わせの数を少なくできる。例えば、図１６に示すように、上アームを構成する一対のスイッチング装置１８１，１８２が隣接配置され、下アームを構成する一対のスイッチング装置１８３，１８４が隣接配置されると、スイッチング装置１８１，１８２のコレクタ端子６１どうしが隣接配置され、スイッチング装置１８１，１８２のエミッタ端子６２どうしが隣接配置される。同様に、スイッチング装置１８３，１８４のコレクタ端子６１どうしが隣接配置され、スイッチング装置１８３，１８４のエミッタ端子６２どうしが隣接配置される。
【０３１９】
同極の端子が隣接配置される場合、これら同極の端子間の距離を所定距離確保する必要がある。図１６の配置構造の場合では、同極の端子が隣接配置される組み合わせは、第１の直線方向Ｖ１に、端子６１の組み合わせと、端子６２の組み合わせとが並んでいる。
【０３２０】
これに対して、図１５に示すように、上下アームを構成する一対のスイッチング装置を隣接配置することによって、第１の直線方Ｖ１に、同極端子が並ぶ組み合わせは、１つのみとなる。
【０３２１】
このように、上下アームを構成する一対のスイッチング装置を隣接配置することによって、スイッチング装置が並ぶ方向に、同極の端子が隣接配置される組み合わせの数を少なくすることができる。この為、スイッチング装置の数が多くなっても、スイッチング装置が並ぶ方向に大型化することを抑制することができる。
【０３２２】
さらに、第１のコレクタバスバー層２０２の第１のコレクタバスバー基部４００と第１のエミッタバスバー層２２２の第１のエミッタバスバー基部４１０との間に絶縁物Ｉ及びモールドされた樹脂が設けることによって互いを絶縁することができるので、第１のコレクタバスバー基部４００を第１のエミッタバスバー基部４１０に対して近接配置することができる。この近接配置により、近接効果が得られ、インダクタンスを低減できる。
【０３２３】
同様に、第２のコレクタバスバー層２０３の第２のコレクタバスバー基部４０１と第２のエミッタバスバー層２２３の第２のエミッタバスバー基部４１１との間に絶縁物Ｉ及びモールド樹脂を設けることによって、互いを絶縁することができる。互いを絶縁することができるので、互いを近接配置することができる。この近接配置により、近接効果が得られ、インダクタンスを低減することができる。
【０３２４】
同様に、第３のコレクタバスバー層２１０の第３のコレクタバスバー基部４０２と第３のエミッタバスバー層２３０の第３のエミッタバスバー基部４１２との間に絶縁物Ｉ及びモールド樹脂を設けることによって、互いを絶縁することができる。互いを絶縁することができるので、互いを近接配置することができる。この近接配置により、近接効果が得られ、インダクタンスを低減することができる。
【０３２５】
同様に、第４のコレクタバスバー層２１１の第４のコレクタバスバー基部４０３と第４のエミッタバスバー層２３１の第４のエミッタバスバー基部４１３との間に絶縁物Ｉ及びモールド樹脂が設けられることによって、互いを絶縁できる。互いの絶縁できるので、互いを近接配置することができる。この近接配置により、近接効果が得られ、インダクタンスを低減することができる。
【０３２６】
また、上下アームを構成する一対のスイッチング装置を互いに隣接配置し、エミッタ端子６２とコレクタ端子６１とを、スイッチング装置を受熱面１０１上に設置した際に第１の直線方向Ｖ１に直交する板状になるように形成し、上アームを構成するスイッチング装置１７１，１７２，１７３，１７７，１７８，１８１，１８２，１８５，１８６，１８９，１９１，１９３のエミッタ端子６２と、下アームを構成するスイッチング装置１７４，１７５，１７６，１７９，１８０，１８３，１８４，１８７，１８８，１９０，１９２，１９４のコレクタ端子６１とが接続される端子１２１〜１２６，１３９〜１５０，１６３〜１６８を、第１の直線方向Ｖ１に直交する板状に形成することによって、インダクタンス低減効果を得ることができる。
【０３２７】
この点について、スイッチング装置１８１，１８３を一例として説明する。第１１のスイッチング装置１８１のエミッタ端子６２と第１３のスイッチング装置１８３のコレクタ端子６１とに接続されるモータＶ相バスバー２５０の端子１４５，１４６は、連結部２５４によって互いに連結されている。
【０３２８】
この為、第１１のスイッチング装置１８１のエミッタ端子６２を流れる電流の向きと第２５の端子１４５を流れる電流の向きとが互いに逆向きとなり、第１３のスイッチング装置１８３のコレクタ端子６１を流れる電流の向きと第２６の端子１４６を流れる電流の向きとは、互いに逆向きとなる。
【０３２９】
このように、上アームを構成するスイッチング装置のエミッタ端子６２を流れる電流の向きと、このエミッタ端子に接続される端子に流れる電流の向きとが互いに逆向きとなり、かつ、下アームを構成するスイッチング装置のコレクタ端子６１を流れる電流の向きとこのコレクタ端子６１に接続される端子を流れる電流の向きとが互いに逆向きとなるので、互いに逆向きの電流が流れる端子が近接配置されることによるインダクタンスの低減効果が得られる。
【０３３０】
また、本実施形態では、電力変換装置１０は、ＤＣ−ＤＣコンバータ２０を有している。ＤＣ−ＤＣコンバータ２０を構成するスイッチング装置１７１〜１７６を第１の収容空間１１５内に収容し、収容空間１１５，１１６に収容されるスイッチング装置１７１〜１８０，１８９，１９０を、第１のコレクタバスバー層２０２と第１のエミッタバスバー層２２２に接続されるエミッタ端子６２とコレクタ端子６１とを第１の区画梁１１２に対向させて配置することによって、第１のコレクタバスバー層２０２と第１のエミッタバスバー層２２２とを、ＤＣ−ＤＣコンバータ２０にも共通して用いることができるので、電力変換装置１０をコンパクトにすることができる。
【０３３１】
また、スイッチング装置１７１〜１９４のコレクタ端子６１及びエミッタ端子６２とは、上下方向Ｖ３に延びる板形状に形成されている。そして、これらコレクタ端子６１及びエミッタ端子６２に接続される各バスバーの端子も、板形状に形成されている。さらに、コレクタ端子６１及びエミッタ端子６２と、各バスバーの端子は、互いに面どうしが溶接される。
【０３３２】
この為、コレクタ端子６１またはエミッタ端子６２にバスバー層の端子を接続する際には、上方からこれら端子を挟持できる。この為、コレクタ端子６１またはエミッタ端子６２とバスバー層の端子とを挟持する作業を行いやすくなるので、コレクタ端子６１またはエミッタ端子６２とバスバー層の端子とを溶接する溶接作業の効率を向上することができる。
【０３３３】
また、コレクタバスバー層２０２，２０３と連結部２２２ａとを、同一板部材に対して屈曲することによって形成する為、部品点数を削減することができる。
【０３３４】
同様に、コレクタバスバー層２１０，２１１と連結部２１０ａとを、同一板部材に対して屈曲することによって形成する為、部品点数を削減することができる。
【０３３５】
同様に、エミッタバスバー層２２２，２２３と連結部２２２ａとを同一板部材に対して屈曲することによって形成する為、部品点数を削減することができる。
【０３３６】
同様に、エミッタバスバー層２３０，２３１と連結部２３０ａとを、同一板部材に対して屈曲することによって形成する為、部品点数を削減することができる。
【０３３７】
次に、第２の実施形態に係る電力変換装置１０を、図１７，１８，１９を用いて説明する。なお、第１の実施形態と同様の機能を有する構成は、第１の実施形態と同一の符号を付して説明を省略する。本実施形態では、エミッタバスバー２２０に代えて、エミッタバスバー２２０Ａが用いられる。
【０３３８】
図１７は、コレクタバスバー２００とエミッタバスバー２２０Ａとが一体に組み合わされた状態を示す斜視図である。図１８は、コレクタバスバー２００とエミッタバスバー２２０Ａとが一体に組み合わされた状態を示す平面図である。図１９は、図１７に示す範囲Ｆ１９を拡大して示す斜視図である。
【０３３９】
図１７〜１９に示すように、エミッタバスバー２２０Ａでは、第２のエミッタバスバー層２２３は、第１のエミッタバスバー層２２２に対して別部材で形成されている。第２のエミッタバスバー層２２３の第２のエミッタバスバー基部４１１が、第１のエミッタバスバー層２２２の第１のエミッタバスバー基部４１０に面接触した状態で、第３の側部１１１ｃ側の端部が、第１のエミッタバスバー層２２２に溶接によって固定されている。この為、エミッタバスバー層２２２，２２３の一体物の第２の直線方向Ｖ２の幅を薄くすることができる。
【０３４０】
第１のエミッタバスバー層２２２と第２のエミッタバスバー層２２３との一体物の第３の側部１１１ｃ側の一端部は、第１のコレクタバスバー層２０２と第２のコレクタバスバー層２０３と第１の連結部２０２ａとの一体物によって形成される断面凹形状の部分内に配置されている。この断面凹形状部分と第１のエミッタバスバー層２２２と第２のエミッタバスバー層２２３との間には、第１の実施形態と同様に、絶縁物Ｉが配置されている。
【０３４１】
具体的には、第１のコレクタバスバー層２０２上に絶縁物Ｉから形成されるインシュレータ層が設けられ、このインシュレータ層上に第１のエミッタバスバー層２０２が設けられる。第２のコレクタバスバー層２０３上に絶縁物Ｉから形成されるインシュレータ層が設けられ、このインシュレータ層上に第２のエミッタバスバー層２２３が設けられる。第１の連結２０２ａ上に設けられる絶縁物Ｉ上にエミッタバスバー層２２２，２２３が載置される。
【０３４２】
第１のコレクタバスバー層２０２と第２のコレクタバスバー層２０３との間の第２の直線方向Ｖ２の幅は、エミッタバスバー層２２２，２２３と絶縁物Ｉとを配置可能な幅を有している。絶縁物Ｉによって、第１のコレクタバスバー層２０２の第１のコレクタバスバー基部４００に対して、第１のエミッタバスバー層２２２の第１のエミッタバスバー基部４１０を近接配置することができる。近接配置可能であることによって、近接効果によって、インダクタンスを低減することができる。
【０３４３】
同様に、絶縁物Ｉによって、第２のコレクタバスバー層２０３の第２のコレクタバスバー基部４０１を、第２のエミッタバスバー層２２３の第２のエミッタバスバー基部４１１に対して近接配置することができる。近接配置可能であることによって、近接効果によって、インダクタンスを低減することができる。
【０３４４】
本実施形態では、エミッタバスバー層２２２，２２３の一体物の第２の直線方向Ｖ２の幅を小さくすることができるので、コレクタバスバー層２０２，２０３間の第２の直線方向Ｖ２の幅を小さくすることができる。この為、第１の区画梁１１２の第２の直線方向Ｖ２の幅を小さくすることができる。
【０３４５】
同様に、第４のエミッタバスバー層２３１は、第３のエミッタバスバー層２３０に対して別部材で形成されている。第４のエミッタバスバー層２３１は、第３のエミッタバスバー層２３０に面接触した状態で、第３の側部１１１ｃ側の端部が、第３のエミッタバスバー層２３０に溶接によって固定されている。
【０３４６】
第４のエミッタバスバー層２３１と第３のエミッタバスバー層２３０との一体物の第３の側部１１１ｃ側の端部は、第３のコレクタバスバー層２１０と第４のコレクタバスバー層２１１と第２の連結部２１０ａとの一体物によって形成される断面凹形状の部分内に配置されている。この断面凹形状部分と第４のエミッタバスバー層２３１と第３のエミッタバスバー層２３０との間には、第１の実施形態と同様に、絶縁物Ｉが配置されている。
【０３４７】
具体的には、第３のコレクタバスバー層２１０上に絶縁物Ｉから形成されるインシュレータ層が設けられ、このインシュレータ層上に第３のエミッタバスバー層２３０が設けられる。第４のコレクタバスバー２１１上に絶縁物Ｉから形成されるインシュレータ層が設けられ、このインシュレータ層上に第４のエミッタバスバー層２３１が設けられる。第２の連結部２１０ａ上に、エミッタバスバー層２３０，２３１が載置される。
【０３４８】
第３のコレクタバスバー層２１０の第３のコレクタバスバー基部４０２と第４のコレクタバスバー層２１１の第４のコレクタバスバー基部４０３との間の第２の直線方向Ｖ２の幅は、エミッタバスバー層２３０，２３１と絶縁物Ｉとを配置可能な幅を有している。絶縁物Ｉによって、第３のコレクタバスバー層２１０の第３のコレクタバスバー基部４０２に対して、第３のエミッタバスバー層２３０の第３のエミッタバスバー基部４１２を近接配置することができる。近接配置可能であることによって、近接効果によって、インダクタンスを低減することができる。
【０３４９】
同様に、絶縁物Ｉによって、第４のコレクタバスバー層２１１の第４のコレクタバスバー基部４０３を、第４のエミッタバスバー層２３１の第４のエミッタバスバー基部４１３に対して近接配置することができる。近接配置可能であることによって、近接効果によって、インダクタンスを低減することができる。
【０３５０】
本実施形態では、エミッタバスバー層２３０，２３１の一体物の第２の直線方向Ｖ２の幅を小さくすることができるので、コレクタバスバー層２１０，２１１間の第２の直線方向Ｖ２の幅を小さくすることができる。この為、第３の区画梁１１４の第２の直線方向Ｖ２の幅を小さくすることができる。
【０３５１】
このように、本実施形態では、第１の実施形態と同じ効果が得られる。さらに、区画梁１１２，１１４の第２の直線方向Ｖ２に沿う幅を小さくすることができるので、電力変換装置１０の第２の直線方向Ｖ２に沿う幅を小さくできる。この為、電力変換装置１０を小型化することができる。
【０３５２】
なお、本実施形態では、第２のエミッタバスバー層２２３は、第３の側部１１１ｃ側の端部が第１のエミッタバスバー層２２２に溶接されることによって、第１のエミッタバスバー層２２２に固定されている。溶接される箇所は、上記に限定されるものではない。同様に、第４のエミッタバスバー層２３１の第３のエミッタバスバー層２３０に対する溶接は、上記に限定されるものではない。
【０３５３】
図２０，２１は、第２の実施形態の変形例を示す斜視図である。図２０は、エミッタバスバー２２０Ａとコレクタバスバー２００とが一体に組み合わさった状態を示している。図２１は、図２０中の範囲Ｆ２１を拡大して示す斜視図である。
【０３５４】
本変形例では、第２のエミッタバスバー層２２３は、第２のエミッタバスバー層２２３の第２のエミッタバスバー基部４１１において第１のエミッタバスバー層２２２の第１のエミッタバスバー基部４１０に固定される端部の近傍の屈曲部２２３ａで、第２のコレクタバスバー層２０３の第２のコレクタバスバー基部４０１側に屈曲している。そして、第２のエミッタバスバー基部４１１において屈曲部２２３ａ以外の部分は、第２のコレクタバスバー層２０３の第２のコレクタバスバー基部４０１に沿って帯状に延びる帯状部５００となっている。
【０３５５】
屈曲部２２３ａは、第１のコレクタバスバー層２０２と第２のコレクタバスバー層２０３と第１の連結部２０２ａとによって形成される断面凹状部内に配置されている。また、第１のコレクタバスバー層２０２と第２のコレクタバスバー層２０３と第１の連結部２０２ａとによって形成される断面凹状部内には、第１の実施形態と同様に、絶縁物Ｉが設けられている。第２のエミッタバスバー層２２３の第２のエミッタバスバー基部４１１と第２のコレクタバスバー層２０３の第２のコレクタバスバー基部４０１との間に絶縁物Ｉが配置されることによって、第２のエミッタバスバー層２２３の第２のエミッタバスバー基部４１１を第２のコレクタバスバー層２０３の第２のコレクタバスバー基部４０１に近接配置することができる。
【０３５６】
同様に、第４のエミッタバスバー層２３１は、第４のエミッタバスバー層２３１の第４のエミッタバスバー基部４１３において第３のエミッタバスバー層２３０の第３のエミッタバスバー基部４１２に固定される端部の近傍の屈曲部２３１ａで、第４のコレクタバスバー層２１１の第４のコレクタバスバー基部４０３側に屈曲している。そして、第４のエミッタバスバー層２３１の第４のエミッタバスバー基部４１３において屈曲部２３１ａ以外の部分は、第４のコレクタバスバー層２１１の第４のコレクタバスバー基部４０３に沿って帯状に延びる帯状部５０１となっている。
【０３５７】
屈曲部２３１ａは、第３のコレクタバスバー層２１０と第４のコレクタバスバー層２１１と第２の連結部２１０ａとによって形成される断面凹状部内に配置されている。また、第４のコレクタバスバー層２１１と第３のコレクタバスバー層２１０と第２の連結部２１０ａとによって形成される断面凹状部内に、第１の実施形態と同様に、絶縁物Ｉが設けられている。第４のエミッタバスバー層２３１の第４のエミッタバスバー基部４１３と第４のコレクタバスバー層２１１の第４のコレクタバスバー基部４０３との間に絶縁物Ｉが配置されることによって、第４のエミッタバスバー層２３１の第４のエミッタバスバー基部４１３を第４のコレクタバスバー層２１１の第４のコレクタバスバー基部４０３に近接配置することができる。
【０３５８】
本実施形態では、コレクタバスバー２００は、一枚の板部材に対して曲げ加工を施すことによって形成されている。この為、コレクタバスバー層２０２，２０３と第１の連結部２０２ａとは、曲げ加工が施される前の板部材において第１の連結部２０２ａを形成する部分に対して曲げ加工を施すことによって、構成される。
【０３５９】
しかしながら、コレクタバスバー２００を構成する板部材の厚み、または、曲げ加工を施す装置の性能によって、コレクタバスバー層２０２，２０３間の幅の最小値が決定される。コレクタバスバー層２０２，２０３の幅の最小値が、図１７〜１９に示すように互いに面接触して重ねられたエミッタバスバー層２２２，２２３の第２の直線方向Ｖ２の幅と近接効果が得られる隙間との合計よりも大きくなると、近接効果が得られない。例えば、コレクタバスバー２００を形成する板部材の厚みが厚い場合では、コレクタバスバー層２０２，２０３間の幅を最小にするべく第１の連結部２０２ａに対して曲げ加工を施しても、コレクタバスバー層２０２，２０３間の幅が大きくなる。
【０３６０】
このように、コレクタバスバー層２０２，２０３間の第２の直線方向Ｖ２の幅を最小値にしても幅の長さが近接効果を得られない長さとなる場合であっても、第１のエミッタバスバー層２２２を第１のコレクタバスバー層２０２に対して近接効果が得られる位置に配置し、かつ、第２のエミッタバスバー層２２３を屈曲部２２３ａで屈曲して第２のコレクタバスバー層２０３に対して近接効果が得られる位置に配置することができる。
【０３６１】
同様に、コレクタバスバー層２１０，２１１間の第２の直線方向Ｖ２の幅を最小値にしても幅の長さが近接効果を得られない長さとなる場合であっても、第３のエミッタバスバー層２３０を第３のコレクタバスバー層２１０に対して近接効果が得られる位置に配置し、かつ、第４のエミッタバスバー層２３１を屈曲部２３１ａで屈曲して第４のコレクタバスバー層２１１に対して近接効果が得られる位置に配置することができる。
【０３６２】
電力変換装置は、第１の実施形態と第２の実施形態とに限定されるものではない。第１の実施形態と第２の実施形態では、電力変換装置１０，１０Ａは、インバータ３０とＡＣ−ＤＣコンバータ４０とを有して、直流電力を交流電力に変換する機能と、交流電力を直流電力に変換する機能とを有している。
【０３６３】
他の例として、ＡＣ−ＤＣコンバータ４０を有していなくてもよい。または、インバータ３０を有していなくてもよい。
【０３６４】
新たにコンバータやインバータを追加する場合は、この新たに追加するコンバータやインバータを構成するスイッチング装置を収容する収容空間を、収容空間１１５〜１１８に対して第２の直線方向Ｖ２に隣接して形成すればよい。この場合、側部１１１ｃ,１１１ｄを第２の直線方向Ｖ２に延長し、この延長した部分に新たに区画梁を連結すればよい。そして、新たに追加されるコンバータやインバータを構成するスイッチング装置を構成するためのバスバーを、側部１１１ｃ,１１１ｄの延長した部分と、新たに追加した区画梁内に設ければよい。
【０３６５】
このように、新たに追加するコンバータやインバータを構成するスイッチング装置を収容する収容空間の設計を容易に行うことができる。
【０３６６】
また、第１の実施形態では、全てのバスバー２００，２２０，２４０，２５０，２６０，２７０，２８０，２９０，３００，３１０，３２０は、各バスバーを展開した形状を有する１枚の板部材に対して曲げ加工を施すことによって、形成されている。例えば、コレクタバスバー２００は、コレクタバスバー２００を展開した形状を有する１枚の板部材に対して曲げ加工を施すことによって形成されている。
【０３６７】
他の例としては、各バスバーは、複数の部材を接合手段によって接合することによって構成されてもよい。接合手段としては、溶接、接着、ボルト止めなどがある。第２の実施形態は、この一例となる。
【０３６８】
また、第１及び第２の実施形態では、絶縁物Ｉは、第１のコレクタバスバー層２０２と第２のコレクタバスバー層２０３と第１の連結部２０２ａとによって形成される断面凹状部内に設けられている。また、絶縁物Ｉは、第３のコレクタバスバー層２１０と第４のコレクタバスバー層２１１と第２の連結部２１０ａとによって形成される断面凹状部内に設けられている。
【０３６９】
そして、第１のエミッタバスバー層２２２は、絶縁物Ｉが間に配置されることによって、第１のコレクタバスバー層２０２に対して近接効果が得られる近接した位置に配置可能となっている。第２のエミッタバスバー層２２３は、間に絶縁物Ｉが配置されることによって、第２のコレクタバスバー層２０３に対して近接効果が得られる近接した位置に配置可能となっている。第３のエミッタバスバー層２３０は、間に絶縁物Ｉが配置されることによって、第３のコレクタバスバー層２１０に対して近接効果が得られる近接した位置に配置可能となっている。第４のエミッタバスバー層２３１は、間に絶縁物Ｉが配置されることによって、第４のコレクタバスバー層２１１に対して近接効果が得られる近接した位置に配置可能となっている。
【０３７０】
絶縁物Ｉは、上記の断面凹状部以外に設けられてもよい。例えば、絶縁物Ｉは、第１のコレクタバスバー層２０２の第１のコレクタバスバー基部４００において第１のエミッタバスバー層２２２の第１のエミッタバスバー基部４１０に対向する範囲の全域に、絶縁物Ｉが設けられてもよい。同様に、第２のコレクタバスバー層２０３の第２のコレクタバスバー基部４０１において第２のエミッタバスバー層２２３の第２のエミッタバスバー基部４１１に対向する範囲の全域に、絶縁物Ｉが設けられてもよい。
【０３７１】
同様に、絶縁物Ｉは、第３のコレクタバスバー層２１０の第３のコレクタバスバー基部４０２において第３のエミッタバスバー層２３０の第３のエミッタバスバー基部４１２に対向する範囲の全域に設けられてもよい。同様に、第４のコレクタバスバー層２１１の第４のコレクタバスバー基部４０３において第４のエミッタバスバー層２３１の第４のエミッタバスバー基部４１３に対向する範囲の全域に設けられてもよい。
【０３７２】
なお、本実施形態では、板形状は、帯状の一例である。
【０３７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０３７４】
６１…コレクタ端子、６２…エミッタ端子、２０２…第１のコレクタバスバー層（第２のバスバー層、第２の接続バスバー層、第１のコレクタ用バスバー層）、２１０…第３のコレクタバスバー層（第２のバスバー層、第３の接続バスバー層、第２のコレクタ用バスバー層）、２１０ａ…第２の連結部（屈曲部、第２の屈曲部、コレクタバスバー屈曲部、コレクタバスバー屈曲部）、２２２…第１のエミッタバスバー層（第１のバスバー層、第１の接続バスバー層、第１のエミッタ用バスバー層）、２３０…第３のエミッタバスバー層（第１のバスバー層、第５の接続バスバー層、第２のエミッタ用バスバー層）、
２３０ａ…第４の連結部（屈曲部、第１のバスバー屈曲部、エミッタバスバー屈曲部）、２３１…第４のエミッタバスバー層（第３のバスバー層、第６の接続バスバー層、第３のエミッタ用バスバー層）、２４２…モータＵ相バスバー層（第１の上下アーム形成バスバー層）、２５２…モータＶ相バスバー層（第２の上下アーム形成バスバー層）、２６２…モータＷ相バスバー層（第３の上下アーム形成バスバー）、２７２…ジェネレータＵ相バスバー層（第１の上下アーム形成バスバー層）、２８２…ジェネレータＶ相バスバー層（第２の上下アーム形成バスバー層）、２９２…ジェネレータＷ相バスバー層（第３の上下アーム形成バスバー層）、４００…第１のコレクタバスバー基部（第２の基部、第２のバスバー基部、第１のコレクタ層用基部）、４１０…第１のエミッタバスバー基部（第１の基部、第１のバスバー基部、第１のエミッタ層用基部）、４０２…第３のコレクタバスバー基部（第２の基部、第３のバスバー基部、第２のコレクタ層用基部）、４０３…第４のコレクタバスバー基部（第４の基部、第４のバスバー基部、第２のコレクタ層用基部）、４１２…第３のエミッタバスバー基部（第１の基部、第５のバスバー基部、第２のエミッタ層用基部）、４１３…第４のエミッタバスバー基部（第３の基部、第６のバスバー基部、第２のエミッタ層用基部）、１７７…第７のスイッチング装置（Ｕ相上アーム用スイッチング層）、１７８…第８のスイッチング装置（Ｕ相上アーム用スイッチング装置）、１７９…第９のスイッチング装置（Ｕ相下アーム用スイッチング装置）、１８０…第１０のスイッチング装置（Ｕ相下アーム用スイッチング装置）、１８１…第１１のスイッチング装置（Ｖ相上アーム用スイッチング装置）、１８２…第１２のスイッチング装置（Ｖ相上アーム用スイッチング装置）、１８３…第１３のスイッチング装置（Ｖ相下アーム用スイッチング装置）、１８４…第１４のスイッチング装置（Ｖ相下アーム用スイッチング装置）、１８５…第１５のスイッチング装置（Ｗ相上アーム用スイッチング装置）、１８６…第１６のスイッチング装置（Ｗ相上アーム用スイッチング装置）、１８７…第１７のスイッチング装置（Ｗ相下アーム用スイッチング装置）、１８８…第１８のスイッチング装置（Ｗ相下アーム用スイッチング装置）、１８９…第１９のスイッチング装置（Ｕ相上アー
ム用スイッチング装置）、１９０…第２０のスイッチング装置（Ｕ相下アーム用スイッチング装置）、１９１…第２１のスイッチング装置（Ｖ相上アーム用スイッチング装置）、１９２…第２２のスイッチング装置（Ｖ相下アーム用スイッチング装置）、１９３…第２３のスイッチング装置（Ｗ相上アーム用スイッチング装置）、１９４…第２４のスイッチング装置（Ｗ相下アーム用スイッチング装置）、５００…帯状部、５０１…帯状部、Ｉ…絶縁物（第１の基部用インシュレータ層、第３の基部用インシュレータ層、第１のインシュレータ層、第２のインシュレータ層、第３のインシュレータ層）。
【図１】
2016213930.tif 000003
【図２】
2016213930.tif 000004
【図３】
2016213930.tif 000005
【図４】
2016213930.tif 000006
【図５】
2016213930.tif 000007
【図６】
2016213930.tif 000008
【図７】
2016213930.tif 000009
【図８】
2016213930.tif 000010
【図９】
2016213930.tif 000011
【図１０】
2016213930.tif 000012
【図１１】
2016213930.tif 000013
【図１２】
2016213930.tif 000014
【図１３】
2016213930.tif 000015
【図１４】
2016213930.tif 000016
【図１５】
2016213930.tif 000017
【図１６】
2016213930.tif 000018
【図１７】
2016213930.tif 000019
【図１８】
2016213930.tif 000020
【図１９】
2016213930.tif 000021
【図２０】
2016213930.tif 000022
【図２１】
2016213930.tif 000023